(57)【要約】【課題】高効率・省エネルギー・小型の材料倹約とハイファイスピーカーを有するマルチチャンネルのデジタルマルチメディア音響システムを提供する。【解決手段】コンピュータまたはＣＤ−ＲＯＭのゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスとを接続する２．０チャネルの外付けのサウンドカード及び組合せＤタイプまたはＴタイプのオーディオのパワー増幅器のＩＣチップの１組、前記２．０チャネルの外付けのサウンドカードおよび前記オーディオのパワー増幅器の組合せの制御電気回路またはマイクロ・プロセッサＩＣチップの１組、１対の左右チャネルのスピーカーボックスが含まれているオーディオのデジタルインターフェイスを有するマルチメディア音響システムを構成する。【選択図】図２
2012505616.tif 000002
【特許請求の範囲】
【請求項１】
オーディオのデジタルインターフェイスを有するマルチメディア音響システムであって、少なくとも一つのＵＳＢ（ユニバーサルシリアルバス）、ＩＥＥＥ１３９４インターフェイス、コンピュータまたはＣＤ−ＲＯＭゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスに接続される２．０チャネルの外付けのサウンドカード及び組合せＤタイプまたはＴタイプのオーディオのパワー増幅器のＩＣチップの１組、前記２．０チャネルの外付けのサウンドカードおよび前記オーディオのパワー増幅器の組合せの制御電気回路またはマイクロ・プロセッサＩＣチップの１組、および１対の左右チャネルのスピーカーボックスが含まれている。
さらに、前記２．０チャネルの外付けのサウンドカード、前記ＩＣチップ及び関連ＳＭＤ表面構成部品または集成して一体としてなるＣＭＯＳ電気回路、指示した前記外付けのサウンドカードの作業状態のＬＥＤ信号灯、前記オーディオのパワー増幅器の音量調節装置はすべてＰＣＢ板の上に取り付けている或いはケーブルと接続構成部品で接続し、前記ＰＣＢ板は前記左チャネルのスピーカーバックスまたはボックスホルダーに取り付けられている。前記ＬＥＤ信号灯及び前記音量調節装置は全て左チャンネルのスピーカーパネルまたはスピーカーホルダーに取り付けている。前記ＰＣＢ板または左チャネルのスピーカーパネルにまた一つのインターフェイスと組合せのコンセントまたは１本のインターフェイスの延長線のプラグやコンピュータまたはＣＤ−ＲＯＭのゲーム機ＰＳ２の前記インターフェイスの一つを設置し接続する。前記左右チャネルのバネルにはまた１つのオーディオのコンセントを設置し接続し、前記右チャンネルのパネルには一つのオーディオコンセントを設け、１本のオーディオのケーブルは前記左右チャネルのスピーカーに接続され、１つの２．０チャネル音響システムが構成される。
前記２．０チャンネルの外付けのサウンドカードは少なくとも１組の単方向通信方式の１６〜４８Ｂｉｔ２．１チャネルのデコーダーＤＡＣを備えて、前記ＤＡＣ及び前記ＩＣチップはコンピュータのＵＳＢインターフェイスの５Ｖ電源を通じて電力を供給し、且つ電源入力フットに最も近寄り、フィルターとエネルギー蓄電効果を兼ね備える１組の電解コンデンサーをそれぞれ並列に接続する。規定された前記オーディオのパワー増幅器の定額作業電圧の下限値は前記ＤＡＣの定額作業電圧の下限値より１．１〜２．７Ｖ低くて、前記スピーカーは一つの幅が十分に大きく大動態低音周波の信号を輸出する時、前記のパワー増幅器及び前記ＤＡＣの瞬間作業の電圧は作業電圧の下限値を基本的に上回らない。
前記左右スピーカーには少なくとも一つの抵抗負荷の特性または抵抗負荷の特性に近似する多磁気ギャップ・マルチコイルであるスピーカーを設置し、規定された前記多磁気ギャップ・マルチコイルのスピーカーは１つだけφ７インチの口径の円錐形の振動板或いは内凹形の振動板を配置し、規定された前記円錐形の振動板の中心孔の直径はφ２６〜φ３３ｍｍを上回らず、二つの同軸共点発声、前記多磁気ギャップ・マルチコイルのスピーカーのインダクタンス及びその往復運動過程で感応し得る逆起電力で１８０度の位相角を持ち、交互に相殺しあう全周波スピーカーが構成される；
規定された前記オーディオのパワー増幅器の額定作業電圧がＤＣ５．２５Ｖ以下またはＤＣ８〜１５Ｖであり、前記左右オーディオのパワー増幅器のチャンネルごとに定額連続出力パワーを１Ｗまたは２Ｗ以下とし、ＵＳＢインターフェイスまたはＩＥＥＥ１３９４インターフェイスと通じて電力を供給し、感度とハイファイを有する一種類の２．０チャンネルのデジタルマルチメディア音響システムが構成される。
【請求項２】
オーディオのデジタルインターフェイスを有するマルチメディア音響システムは、コンピュータまたはＣＤ−ＲＯＭのゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスとの接続する２．１外付けのサウンドカード及び組合せＤ種類／またはＴタイプの２．１チャネルのオーディオのパワー増幅器ＩＣチップの１組、前記２．１チャネルの外付けのサウンドカードおよび前記オーディオのパワー増幅器の組合せの制御電気回路またはマイクロ・プロセッサＩＣチップの１組、１対の左右チャネルのスピーカーボックス及び１つの重低音用サブウーファーボックスが含まれている。
前記２．１．チャネルの外付けのサウンドカード、前記ＩＣチップ及び関連ＳＭＤ表面構成部品または集成して一体としてなるＣＭＯＳ電気回路、指示した前記外付けのサウンドカードの作業状態のＬＥＤ信号灯、前記２．１オーディオのパワー増幅器の音量調節装置はすべてＰＣＢ板の上に取り付けている、前記ＰＣＢ板、前記ＬＥＤ信号灯、前記音量調節装置は全て重低音用サブウーファーボックス内に、またはそのパネルに取り付けられている。前記ＰＣＢ板または重低音用サブウーファーのパネルにまた二つのインターフェイスと組合せのコンセントまたは１本のインターフェイスの延長線のプラグやコンピュータまたはＣＤ−ＲＯＭのゲーム機ＰＳ２の前記インターフェイスの一つを設置し接続する。前記左右チャネルのバネルにはまた１つのオーディオのコンセントを設置し、２本のオーディオのケーブルは前記左右チャネルのスピーカーと重低音用サブウーファーボックスとを接続し、１つの２．１チャネル音響システムが構成される。
前記２．１チャネルの外付けのサウンドカードは少なくとも１組の単方向通信方式の１６〜４８Ｂｉｔ２．１チャネルのデコーダーＤＡＣを備えて、その中左右チャンネルの信号は前記ＤＡＣが前記左右チャンネルのパワー増幅器のＩＣチップに接続し、その他の重低音のアナログ信号が通過帯域幅２０Ｈｚから最高の２５０Ｈｚを通じる電子の周波数分割器は前記重低音用パワー増幅器に接続する。
前記コンピュータがＰＣの時、前記ＤＡＣは前記オーディオのパワー増幅器はＰＣの１つのＵＳＢのインターフェイスが５Ｖ電源を提供し、前記重低音のオーディオのパワー増幅器はＰＣのその他の１つのＵＳＢのインターフェイスが５Ｖ電源を提供する。
前記コンピュータがＡＰＰＬＥの場合、前記ＤＡＣ、前記オーディオのパワー増幅器、前記電子周波数分割器、前記重低音のパワー増幅器は全て同一のＩＥＥＥ１３９４インターフェイスからＤＣ８〜１５Ｖ電源を提供する。
前記ＤＡＣ及び前記左右オーディオのパワー増幅器のＩＣチップはコンピュータＵＳＢインターフェイスの５Ｖ電源で電力を供給し、そして前記ＤＡＣ及びＩＣチップの電源入力フットに最も近寄り、フィルターとエネルギー蓄電効果を兼ね備える１組の電解コンデンサーをそれぞれ並列接続する。規定された前記オーディオのパワー増幅器の定額作業電圧の下限値は前記ＤＡＣの定額作業電圧の下限値より１．１〜２．７Ｖ低くて、前記スピーカーは一つの幅が十分に大きくて大動態低音周波の信号を輸出する時、前記オーディオのパワー増幅器及び前記ＤＡＣの瞬間作業の電圧は作業電圧の下限値を基本的に上回らない。
前記重低音可聴周波のパワー増幅器のＩＣ  チップは電源入力フットにもっとも近くて単独でフィルターとエネルギーの貯蓄効果とを兼ね備える１組の容量が１，０００〜１００，０００μＦ以下の電解コンデンサーの放電回路を並列に接続する。
前記左右スピーカーには少なくとも一つの抵抗負荷の特性または抵抗負荷の特性に近似する多磁気ギャップ・マルチコイルであるスピーカーを設置し、規定された前記多磁気ギャップ・マルチコイルのスピーカーは１つだけ≦φ７インチの口径の円錐形の振動板或いは内凹形の振動板を配置し、規定された前記円錐形の振動板の中心孔の直径はφ２６〜φ３３ｍｍを上回らず、二つの同軸共点発声、前記多磁気ギャップ・マルチコイルのスピーカーのインダクタンス及びその往復運動過程で感応し得る逆起電力で１８０度の位相角を持ち、交互に相殺しあう全周波スピーカーが構成される。
前記重低音スピーカーボックスには一つの抵抗負荷の特性または抵抗負荷の特性に近似する多磁気ギャップ・マルチコイルを有するスピーカーを設置し、規定された前記多磁気ギャップ・マルチコイルのスピーカーをφ７インチ以下の口径の円錐形の振動板または内凹形の振動板を配置し、規定された円錐形の振動板の中心孔の直径はφ２６〜φ３３ｍｍを上回らず、一つの同軸共点発声、前記多磁気ギャップ・マルチコイルのスピーカーのインダクタンス及びその往復運動過程で感応し得る逆起電力で１８０度の位相角を持ち、交互に相殺しあう帯通式の重低音用サブウーファーが構成される。
規定された前記オーディオのパワー増幅器の額定作業電圧はＤＣ５．２５Ｖ以下、またはＤＣ８〜１５Ｖであり、前記左右オーディオのパワー増幅器のチャンネルごとに定額連続出力パワーを１Ｗまたは２Ｗ以下とし、前記重低音のオーディオのパワー増幅器の額定連続出力パワーを２Ｗまたは４Ｗ以下とし、ＵＳＢインターフェイスまたはＩＥＥＥ１３９４インターフェイスを通じて電力供給をし、感度とハイファイを有する一種類の２．１チャンネルのデジタルマルチメディア音響システムが構成される。
【請求項３】
オーディオのデジタルインターフェイスを有するマルチメディア音響システムは、コンピュータまたはＣＤ−ＲＯＭのゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスとの接続する４．１〜７．１外付けのサウンドカード及び組合せＤタイプまたはＴタイプのオーディオのパワー増幅器  ＩＣチップの１組、前記４．１〜７．１外付けのサウンドカードおよび前記オーディオのパワー増幅器の組合せの制御電気回路／またはマイクロ・プロセッサＩＣチップの１組、４〜７個の衛星スピーカーボックス及び１つの重低音用サブウーファーが含まれている。
前記４．１〜７．１チャネルの外付けのサウンドカード、前記ＩＣチップ及び関連ＳＭＤ表面構成部品または集成して一体としてなるＣＭＯＳ電気回路、指示した前記外付けのサウンドカードの作業状態のＬＥＤ信号灯、前記４．１〜７．１オーディオのパワー増幅器の音量の調節装置はすべてＰＣＢ板の上に取り付けられ、前記ＰＣＢ板、前記ＬＥＤ信号灯、前記音量の調節装置は全て重低音用サブウーファーボックス内に、またはそのパネルに取り付けられている。前記ＰＣＢ板または重低音用サブウーファーのパネルにまたンターフェイスと組合せのコンセントまたは１本のインターフェイスの延長線のプラグやコンピュータまたはＣＤ−ＲＯＭのゲーム機ＰＳ２の前記インターフェイスの一つを設置し接続する。前記４〜７個の衛星スピーカーのパネルではまた１つのオーディオのコンセントがそれぞれ設けられており、４〜７本のオーディオのケーブルは前記４〜７個の衛星スピーカーと重低音用サブウーファーボックスとを接続し、１つの４．１〜７．１チャネル・音響システムが構成されている；
前記４．１〜７．１チャネルの外付けのサウンドカードは少なくとも１組の単方向通信方式の１６〜４８Ｂｉｔ４．１〜７．１チャネルのデコーダーＤＡＣを備えて、その中の４〜７チャネル信号は前記ＤＡＣが組合せた前記４〜７チャネルのオーディオパワー増幅器のＩＣチップに接続し、その他の重低音のアナログ信号が通過帯域の２０Ｈｚから最高の２５０Ｈｚを通じる電子周波数分割器は前記重低音のオーディオのパワー増幅器に接続される。
前記４．１〜７．１チャネルの外付けのサウンドカードは前記ＵＳＢインターフェイスまたはＩＥＥＥ１３９４インターフェイスを通じて電力を供給し、前記４〜７チャネルのオーディオパワー増幅器、前記重低音のオーディオパワー増幅器、前記制御保護電気回路またはマイクロ・プロセッサＩＣチップは重低音用サブウーファーボックスの一つのＤＣ／ＡＣ電源を設置して単独に電力を提供し、前記ＤＡＣ及び４〜７チャネルのオーディオパワー増幅器のＩＣチップに最も近く寄った前記ＤＡＣ及びＩＣチップの電源入力フットにはフィルターとエネルギー蓄電効果を兼ね備える１組の電解コンデンサーをそれぞれ並列接続する。前記スピーカーは一つの幅が十分に大きくて大動態低音周波の信号を輸出する時、前記オーディオのパワー増幅器及び前記ＤＡＣの瞬間作業の電圧は定額作業電圧の下限値を基本的に上回らない。
前記重低音可聴周波のパワー増幅器ＩＣチップは電源入力フットにもっとも近くて単独でフィルターとエネルギーの貯蓄効果とを兼ね備える１組の容量１，０００〜１００，０００μＦ以下の電解コンデンサーの放電回路を並列接続する。
前記４〜７個の衛星スピーカーボックスには少なくとも一つの抵抗負荷の特性または抵抗負荷の特性に近似する多磁気ギャップ・マルチコイルのスピーカーは、前記多磁気ギャップ・マルチのコイルのスピーカーはφ７インチ以下の径の円錐形の振動板、または内凹形の振動板を配置し、前記円錐形の振動板の中心孔の直径はφ２６〜φ３３ｍｍを上回らないのが規定されており、４〜７個の同軸共点発声、前記多磁気ギャップ・マルチコイルのスピーカーのインダクタンス及びその往復運動過程で感応し得る逆起電力で１８０度の位相角を持ち、交互に相殺しあう全周波スピーカーが構成される。
重低音用サブウーファーボックスには一つの抵抗負荷の特性または抵抗負荷の特性に近似する多磁気ギャップ・マルチコイルを有するスピーカーを設置し、前記多磁気ギャップ・マルチコイルのスピーカーはφ１０インチ径以下の円錐形の振動板または内凹形の振動板を配置し、円錐形の振動板のインナーホールの直径はφ２６〜φ３３ｍｍを上回らないのが規定しており、一つの同軸共点発声、前記多磁気ギャップ・マルチコイルのスピーカーのインダクタンス及び往復運動過程で感応し得る逆起電力で１８０度の位相角を持ち、交互に相殺しあう帯通式の重低音用サブウーファーが構成される。
前記４〜７オーディオのパワー増幅器のチャンネルごとに定額出力パワーを１Ｗ以下とし、前記重低音のオーディオのパワー増幅器の定額連続出力パワーを４Ｗ〜８Ｗにすることが規定されており、独立のＡＣ／ＤＣ電源を通じて電力を供給し、超高感度とハイファイを有する４．１〜７．１チャンネルのデジタルマルチメディア音響システムが構成される。
【請求項４】
請求項３に記載のオーディオのデジタルインターフェイスを有するマルチメディア音響システムであって、
前記重低音用サブウーファーボックスに帯通式の重低音スピーカーを除いてすべての構成部品及び装置が取り付けられており、すべては低音スピーカーボックスから分離可能で１つの独立パワー増幅器が構成される。
前記独立パワー増幅器のパネルに必要な指示の調節設備を設け、オーディオインターフェイスとオーディオ出力のコンセント、前記４〜７個の衛星スピーカー及び前記重低音用サブウーファーのパネルに１つのオーディオのコンセントをそれぞれ設置し、５〜８本のオーディオのケーブルは前記独立パワー増幅器と前記（４＋１）〜（７＋１）個のスピーカーと接続し、１つの４．１（＋１）の〜７．１（＋１）チャンネルのデジタルマルチメディア音響システムが構成される。
【請求項５】
請求項１〜３のいずれかに記載のオーディオデジタルインターフェイスを有するデジタルマルチメディア音響システムであって、
前記多磁気ギャップ・マルチコイルのスピーカーは、１つの双磁気ギャップ・ダブルコイルのスピーカーであり、前記スピーカーは二枚の同じ軸に取り付けられており、且つ対称に配置されている上プレートと下プレートは二枚の円形フラットであり、厚さの方向で磁化された一枚の円形磁石またはネオジム磁石を前記上プレートとしたプレートの間に組合せ、ひとつが前記上プレートと下プレートに同じ軸に取り付けられている環状磁気ヨークは軸の高度に前記上プレートと下プレートの外側磁極面よりそれぞれ０．５〜８ｍｍを上回り、そして２組みの上下全対称の磁気ギャップの磁気回路を構成し、前記環状磁気ヨークの内周面は前記上プレートと下プレートの垂直周面には２つの同じ軸と同じ径の環状磁気ギャップを構成し、前記環状磁気ギャップに電磁線を挿入して横断面積に等しい同じ軸・同じ径の二つのコイル、前記コイルが１層或いは２層の電磁線で焼結し、前記二つのコイルの間には相応的な間隔を設置し、規定された前記二つのコイルの巻き回り及びコイルを流れる電流方向は、前記二つのコイルが同じ作業の瞬間で同じ方向の電流力Ｆを生じる。
前記上プレートと下プレートの中央軸孔の中心軸線を垂直対称軸にして、前記磁石またはネオジム磁石の二分の一の軸上高度の二等分線Ｘ−Ｘ軸線を水平対称軸にし、前記スピーカーは幾何形状と磁性性能の方面左右、上下対称を有する２組の対称磁気回路である。
規定された２組みの前記コイルの電磁線横断面積、コイルの巻き数、コイルの巻き幅、コイルの抵抗、コイルのインダクタンス量の絶対値、線を巻く時の張力がお互いに相等し、前記磁石またはネオジム磁石の二分の一の軸上高度の二等分線Ｘ−Ｘ軸線を水平対称軸にし、前記スピーカーは２組の上下対称のコイル回路があって、抵抗負荷の特性または抵抗負荷の特性に近似する２磁気ギャップ・２コイルの内磁型の全周波帯のスピーカーまたは帯通式の重低音用サブウーファーが構成される。
【請求項６】
請求項１〜３のいずれかに記載のオーディオデジタルインターフェイスを有するデジタルマルチメディア音響システムであって、
前記多磁気ギャップ・マルチコイルのスピーカーは、１つの２磁気ギャップ・２コイルのスピーカーで、前記スピーカーは二枚の同じ軸に取り付けられている、且つ対称に配置されている上プレートと下プレートは二枚の円形フラットであり、厚さの方向で磁化された一枚の円形磁石またはネオジム磁石を前記上プレートとしたプレートの間に組合せ、ひとつが前記上プレートと下プレートに同じ軸に取り付けられている環状磁気ヨークは軸の高度に前記上プレートと下プレートの外側磁極面よりそれぞれ０．５〜８ｍｍを上回り、そして２組みの上下全対称の磁気ギャップの磁気回路を構成し、前記環状磁気ヨークの内周面は前記上プレートと下プレートの垂直周面には２つの同じ軸と同じ径の環状磁気ギャップを構成し、前記環状磁気ギャップに電磁線を挿入して横断面積に等しい同じ軸・同じ径の二つのコイル、前記コイルが１層或いは２層の電磁線で焼結し、前記二つのコイルの間には相応的な間隔を設置し、規定された前記二つのコイルの巻き回り及びコイルを流れる電流方向は、前記二つのコイルが同じ作業の瞬間で同じ方向の電流力Ｆを生じる。
前記上プレートと下プレートとの中心軸線を垂直対称軸にして、前記磁石またはネオジム磁石の二分の一の軸上高度の二等分線Ｘ−Ｘ軸線を水平対称軸にし、前記スピーカーは幾何形状と磁性性能の方面を有する左右、上下対称の２組みの対称磁気回路である。規定された２組みの前記コイルの電磁線横断面積、コイルの巻き数、コイルの巻き幅、コイルの抵抗、コイルのインダクタンス量の絶対値、線を巻く時の張力がお互いに相等し、前記磁石またはネオジム磁石の二分の一の軸上高度の二等分線Ｘ−Ｘ軸線を水平対称軸にし、前記スピーカーは２組みの上下対称のコイル回路があって、抵抗負荷の特性または抵抗負荷の特性に近似する２磁気ギャップ・２コイルの内磁型の全周波帯のスピーカーまたは帯通式の重低音用サブウーファーが構成される。
【請求項７】
請求項１〜３のいずれかに記載のオーディオデジタルインターフェイスを有するデジタルマルチメディア音響システムであって、
上記の多磁気ギャップ・マルチコイルのスピーカーは１つの３磁気ギャップ・３コイルのスピーカーで、一枚の磁性材料で製作した円形プレートの両側の平面に厚さの方向で磁化された円形磁石またはネオジム磁石がそれぞれ一枚取り付けられており、前記磁石は円形プレートに寄る片側は同じ磁極性があることで、前記磁石の外側平面にはまた磁性材料で製作した円形プレートがそれぞれ一枚取り付けられている。これにより一対の反発型磁石が構成されており、前記同じ軸に取り付けられている３枚の円形プレートは同じの投影面積があって、且つ同じ軸に取り付けられている２枚の上記の磁石の投影平面とを組合せる。ひとつが上記の円形プレートの中心軸線と同じ軸に取り付けられている環状磁気ヨークは軸の高度に上記の外側円形プレートの外側磁極面よりそれぞれ０．５〜８ｍｍを上回り、そして２組みの上下全対称の磁気ギャップの磁気回路が構成されており、ひとつは前記反発型磁石の同じ軸に取り付けられている環状の磁性体の内周面が円形プレートの垂直周面との間には３つの同じ軸と同じ径の環状磁気ギャップが構成されている。前記環状磁気ギャップに電磁線を挿入して横断面積に等しい同じ軸・同じ径の三つのコイル、前記コイルが１層或いは２層の電磁線で焼結し、前記三つのコイルの間には相応的な間隔を設置し、規定された前記コイルの巻き回り及びコイルを流れる電流方向は、前記三つのコイルが同じ作業の瞬間で同じ方向の電流力Ｆを生じる。
前記円形プレートの中心軸線を垂直対称軸にして、前記中央に置く磁石の二分の一の軸上高度の二等分線Ｘ−Ｘ軸線を水平対称軸にし、前記スピーカーは幾何形状と磁性性能の方面左右、上下対称を有する２組の対称磁気回路である。
前記コイルの抵抗、コイルの巻き幅、コイルのインダクタンス量の絶対値、巻き線の時の張力が互いに等しくすることを設定し、前記中央に置く磁石の二分の一の軸上高度の二等分線Ｘ−Ｘ軸線を水平対称軸にして、前記スピーカーは２組の上下対称のコイル電気回路があって、１種類の抵抗負荷の特性または抵抗負荷の特性に近似する３磁気ギャップ・スリーコイルの内磁型の全周波帯のスピーカーまたは帯通式の重低音用サブウーファーが構成される。
【請求項８】
請求項７に記載のオーディオデジタルインターフェイスを有するデジタルマルチメディア音響システムであって、
前記３磁気キャップ・スリーコイルの内磁型スピーカーの３枚のプレート及び２枚の磁石の軸心部は全ての投影面積に等しい中央の軸孔を設けて、前記スピーカーは非磁性材料で製作した前記ブラケットの軸心部にも１つの投影面積と相等の中央軸孔または組合せのボルトホールを設置し、１本の非磁性材料で製造した締付金具は前記軸孔または組合せのボルトホールを通じ、そして前記プレートに組合せの非磁性材料で製作したクランプの一枚を利用し、前記プレートと前記磁石に十分な静圧力を加え、そして前記スピーカーの前記ブラケットはそれらが固着されている。
【請求項９】
請求項１〜３のいずれかに記載のオーディオデジタルインターフェイスを有するデジタルマルチメディア音響システムであって、
上記の多磁気ギャップ・マルチコイルのスピーカーは１つの４磁気ギャップ・フォアコイルのスピーカーまたは４つ以上の磁気ギャップ・４つ以上のコイルのスピーカーである。上記のスピーカーは磁性材料で製作した円形プレートが一枚あって、前記円形プレートの両側の平面に厚さの方向で磁化された円形磁石またはネオジム磁石はそれぞれ一枚が取り付けられており、前記磁石は円形プレートに寄る片側は同じ磁極性があることで、前記磁石の外側平面にはまた磁性材料で製作した円形プレートはそれぞれ一枚が取り付けられており、これによって３組または３組以上の反発型磁石を構成して、前記同じ軸に取り付けられている４枚または４枚以上の円形プレートは同じの投影面積があって、且つ同じ軸に取り付けられている３枚または３枚以上の上記の磁石の投影平面と組合せ、ひとつが上記の円形プレートの中心軸線と同じ軸に取り付けられている環状磁気ヨークは軸の高度に上記の外側円形プレートの外側磁極面よりそれぞれ０．５〜８ｍｍを上回り、そして２組みの上下全対称の磁気ギャップの磁気回路を構成し、ひとつは前記反発型磁石の同じ軸に取り付けられている環状の磁性体の内周面が円形プレートの垂直周面との間には４つまたは４つ以上の同じ軸と同じ径の環状磁気ギャップが構成されており、前記環状磁気ギャップに電磁線を挿入して横断面積に等しい同じ軸・同じ径の４つまたは４つ以上のコイル、前記コイルの間には相応的な間隔を設置し、前記コイルの巻き回り及びコイルを流れる電流方向を規定し、前記コイルが同じ作業の瞬間で同じ方向の電流力Ｆを生じる。
前記円形プレートの中心軸線を垂直対称軸にして、前記中央に置く磁石の二分の一の軸上高度の二等分線Ｘ−Ｘ軸線を水平対称軸にし、前記スピーカーは幾何形状と磁性性能の方面左右、上下対称を有する３組または３組以上の対称磁気回路である。
前記コイル６０９Ａ及び６０９Ｃは振動板の外側方向から入る時、時計回りを有する。前記コイル６０９Ｂおよび６０９Ｄは必ず左回りがあって、その逆もまた然りである。前記コイル６０９Ａの末端ＹＡがコイル６０９Ｂの先端部ＸＢと連結し、前記コイル６０９Ｂの末端ＹＢはコイルの６０９Ｃの先端部ＸＣと連結、前記コイル６０９Ｃの末端ＹＣはコイル６０９Ｄの先端部ＸＤと連結し、前記コイル６０９Ｄの末端ＹＤが前記コイル骨格に沿って垂直に引上げて、前記コイル６０９Ａの先端部ＸＡと一緒に上記の変換器の１対の信号入力端子を構成し、規定された前記コイル６０９Ａと６０９Ｄ及び前記コイル６０９Ｂと６０９Ｃの電磁線横断面積、コイルの巻き数、コイルの巻き幅、コイルの抵抗、コイルのインダクタンス量の絶対値に等しい。即ち、｜６０９Ａ｜＋｜６０９Ｂ｜＝｜６０９Ｄ｜＋｜６０９Ｃ｜および巻き線の張力は互いに等しくて、前記中央に置く磁石の二分の一の軸上高度の二等分線Ｘ−Ｘ軸線を水平対称軸にして、前記スピーカーは２組の上下対称のコイル電気回路があって、ここから１種類の抵抗負荷の特性または抵抗負荷の特性に近似する四磁気ギャップ・フォアコイルまたはもっと多磁気ギャップとコイルの内磁型の全周波帯のスピーカーまたは帯通式の重低音スピーカーが構成される。
【請求項１０】
請求項９に記載のオーディオデジタルインターフェイスを有するデジタルマルチメディア音響システムであって、
前記四磁気ギャップ・フォアコイル或いはもっと多磁気ギャップとコイルの内磁型スピーカーの４つまたは４つ以上の前記プレートや３つまたは３つ以上の前記磁石の軸心部は全ての投影面積に等しい中央の軸孔があって、前記スピーカーは非磁性材料で作り出した前記ブラケットの軸心部にも一つの投影面積に等しい中央の軸孔または組合せのボルトホールを設置し、１本の非磁性材料で製造した締付構成部品は前記軸孔または組合せのボルトホールを通じ、且つ前記プレートに合わせる非磁性材料で製造したクランプの一枚を利用し、前記プレートと前記磁石に十分な静圧力を加え、そして前記スピーカーの前記ブラケットにそれらが固着されている。
【発明の詳細な説明】
【技術分野】
【０００１】
本発明は、音声周波デジタルインターフェイスを有するマルチメディア音響システムに関連し、特にＵＳＢ外付けのサウンドカードまたはＩＥＥＥ１３９４の外付けのサウンドカードであり、且つコンピュータまたはＣＤ−ＲＯＭのゲーム機を通じて電力を供給するデジタルマルチメディア音響システムに関連し、電気学の電気音響の領域に属する。
【背景技術】
【０００２】
音声周波デジタルインターフェイスを有するマルチメディア音響システムは、ＵＳＢ外付けのサウンドカードまたはＩＥＥＥ１３９４外付けのサウンドカードを有するマルチメディア音響システムが含められており、既に有った技術の一種類である。
【０００３】
例えば、マイクロソフト会社は前世紀末に外付けの電力供給のＤＳＳ８０型のＵＳＢ音響システムを発表した。
【０００４】
ＰＨＩＬＩＰＳ会社は２００６年に発表されたＤＧＸ３２０型の音響システムには、すべてのスピーカーボックスに１つの１インチの高音スピーカーと１つの２インチの全周波スピーカーと１つの受動低音輻射器が設けられる。ＰＣのＵＳＢインターフェイスを通じて電力を供給し、その出力電力が２×１Ｗ、周波数応答範囲は１００Ｈｚ〜２０ＫＨｚである。
【０００５】
２００６年３月、日本ＥＶＥＲＧＲＥＥＮ会社の発表したＤＮ−ＭＰＳ１００型の音響システムは、二つの３インチ口径のスピーカー、パネルに取り付けられている１つのＵＳＢインターフェイスとスピーカーの後ろに取り付けられている１つのＭＰ３  ｄｅｃｏｄｉｎｇデコーダー及びスピーカーボックスのラジオ電気回路が含まれている。そのオーディオの入力パワーが２×７Ｗ、付属のＡＣアダプターを採用し、パワー・ネットワークが独立して電源供給される。
【０００６】
２００７年１月、ＹＡＭＡＨＡ会社はＣＥＳ展示会でＮＸ−Ｕ１０型のＵＳＢ音響システムを発表した。新製品は二つの１．５インチ経口のミニ（Ｍｉｎｉ）スピーカーを用いて、「充電コンデンサ・アンプ」の技術とＳＲ−Ｂａｓｓの低音強化技術を通じ、ノートＰＣのＵＳＢインターフェイスから提供するエネルギーを１組のコンデンサーのプレートに貯蔵することで低音オーディオを強く出力する時、電力容量の爆発性的な需要を満足させる。その周波数対応範囲は９０Ｈｚ〜２０ＫＨｚである。
【０００７】
しかし、ＵＳＢ  オーディオ・デジタルデコーダー（ＤＡＣ）と２〜４個のミニスピーカー及び１組のデジタルはまたはアナログ・パワー増幅器に基いて構成されたＵＳＢミニ音響システムは多くが国内外の市場に溢れてきた。要するに、これらの製品は音質が悪くて、音量が小さくて、消費者の使用要求を満たすことができない。
【０００８】
周知のように、ＰＣのＵＳＢインターフェイスの出力電圧はＤＣ５Ｖ±５％、出力電流は５００ｍＡ。つまり、ＵＳＢインターフェイス毎には提供可能の定額連続パワーは２．５Ｗだけある。しかし、１つの２インチ口径のスピーカーの定額連続入力が２〜４Ｗ、そのＳＰＬ値は８３ｄＢ／１Ｗ／１ｍまでに達する。１つの１．２５〜１．５インチ口径のスピーカーの定額連続入力が約１〜３Ｗで，そのＳＰＬ値が通常７９〜８２ｄＢ／１Ｗ／１ｍである。１つの３インチ口径のスピーカーの定額連続入力は約５〜８Ｗであり、そのＳＰＬ値は８５ｄＢ／１Ｗ／１ｍを上回りにくい。３インチ口径のスピーカーは低い共振周波数Ｆｏがあるが、その低音波段の再生音声は２インチ以下のミニスピーカーよりずっと良い。しかし、スピーカーのメーカーは音質が比較的悪い２インチまたは更に小口径のスピーカーをＵＳＢスピーカーのユニットとして用いる。その原因は、コンピュータのＵＳＢスピーカーシステムのパワーアンプ出力の２×１Ｗぐらいの電力が３インチ口径のスピーカーの一対を駆動して十分な音量とよい音質を得ることが困難である。
【０００９】
一般的に言えば、２インチ口径のスピーカーの音声転換効率は０．１２５％だけある。つまり、このスピーカーが１Ｗ電力を入力する時、０．００１２５Ｗだけの電気エネルギーを有用なサウンドエネルギーに換えて、残りの０．９９Ｗの電気エネルギーは皆が要らないものと有害な熱エネルギーに換えて、無駄遣いになる。私達の見慣れた白熱灯のエネルギー転換効率の７％に比較し、２インチのスピーカーの効率は白熱灯の効率の約１／５６だけある。
【００１０】
従って、既存の主流的なスピーカー、即ち動圏式スピーカー（以下はスピーカーを略称する）は、２０〜２１世紀に全世界範囲内のエネルギー転換効率が一番少なくて、人間社会で最も広く使われる基礎電気製品である。
【００１１】
第１に、全世界ではＵＳＰ５８４９７６０特許の以外、全ての商品化として生産されたスピーカーは１つの磁気ギャップと１本のコイルだけある。このコイルがオーディオ電流を通じる時、コイルは磁気ギャップ磁場の交互作用でフレミング左手の法則によって１つの電電流力Ｆを発生し、スピーカーの振動板を複式ピストン運動へ誘導し、スピーカーは空気を振るわせて音を出すが、このコイルが複式ピストン運動へ行う時、磁気ギャップ内の永久磁石の磁力線はまたこのコイルを垂直に切断し、コイルに感応し得た一つのフレミング右手の法則によって規定された発電機の電位、即ち、よく言われる逆起電力。この逆起電力とスピーカーのコイルにおいる音声信号を再び重ねることで、スピーカーにディストーションをもたらす。一般的には、スピーカーのコイルの振幅がもっと大きければ、加速度がもっと大きければ、音声信号の電流周波数がもっと低くなり、逆起電力の振幅値ももっと大きくなり、もたらしたディストーションももっと大きくなる。従って、既存の技術は逆起電力のディストーションの制約を受けてスピーカーの効率を高めることができない。
【００１２】
第２に、既存の技術は１つの全音域の中小径のスピーカーを遂行できる。しかし、既存の技術はこの全音域スピーカーが多くの消費者に受けられる価格性能比を備えて工業のロット量産を実現することができない。その根本的な原因は以下にてある。スピーカーのインピーダンスはスピーカーの作業電流周波数の関数の１つである；周波数は低いほど低ければ、インピーダンスは低くなり、周波数は高いほど高ければ、インピーダンスは高くなる。すべての伝統的な単磁気ギャップ・シンプルコイルのスピーカーに対しては、そのコイルを過ぎると、高いオーディオ電流有効値が低音オーディオよりずっと小さい。従って、このスピーカーは高音段に生じられた音圧レベルが低音段より明らかに減らしていく。３インチ口径より小さいスピーカーにとって、スピーカーの振動システムの品質がいっそう小さいので、人々は技術の手段を借りて補正する。しかし、この種類の小口径スピーカーの共振周波数Ｆが必ず高すぎて、行き届けの低音オーディオ電気音量のリカバリ効果を獲得しにくい。３インチ以上口径のスピーカーにとって、ユニットの直径の増大と共に、Ｆｏは低音段へ向って、それによってスピーカーの低音オーディオのリカバリ品質を改善させる。しかし、このタイプのスピーカーの振動システムの品質がある程度向上し、スピーカーの高音段においるＳＰＬ値が５〜１０ＫＨｚと以上のチャンネルに大きな差が生じられる。従って、既存のマルチメディア・音響システムは、いつも１つの高音スピーカーと一つの中低音スピーカーが配置されて、消費者のＦｏ〜の２０ＫＨｚ段に対する全音域需要を満足させる。もちろん、この２つのスピーカー作業をバランスするために１つの周波数分割器を必ず加える。この分周器の導入が音響システムのエネルギー消耗とディストーションを更に増加した。
【００１３】
第３に、ＵＳ５８４９７６０特許は中小径のスピーカー、例えば１番広く使われている１／２〜８インチ口径の内磁型スピーカーの範囲に応用できない。
【００１４】
第４に、ＰＣのＵＳＢスピーカーにはいくつかの公認されたメリットがある。
【００１５】
例えば、
１）ＵＳＢ外付けのサウンドカードを用いて、コンピュータボックスの変圧器と扇風機で発生した電磁波の妨害が徹底的に消し去れた。
【００１６】
２）ＰＣＭ／ＰＷＭオーディオのデジタル技術に基づくデコーダーやアンコーダーとＤタイプのオーディオのパワーアンプまたはＤＰＰＴＭ特許の技術に基づく１Ｂｉｔ  Δ―Σ型の転換技術のＴタイプのオーディオパワー増幅器は、アナログ・音響システムの非常に複雑なフィルターと、Ｒ／Ｃの隔直流ネットとＡＢ類のパワー増幅器と比較し、妨害抵抗・増幅器の効率・ＳＮＲ・ダイナミックレンジなどの方面にはアナログ・音響システムより強い表現力がある。
【００１７】
３）今まで、コンピュータのＰＣＩ主流的なサウンドカードは１６Ｂｉｔ型とアナログ−デジタル転換の精度だけあるが、多くの「ＵＳＢミニスピーカー」においるＵＳＢシングル・サウンドカードには、そのＤＡＣが２０Ｂｉｔの転換精度を有する。
【００１８】
４）ＵＳＢの通用連続バスはＰＣＩの並行ケーブルのレベルより低いが、ＣＰＵ性能を絶えず向上することと共に、特に二核体と四核体ＣＰＵの登場およびＣＰＵ機能の連続強化で、ＵＳＢ２．０インターフェイス標準の十分な普及と、ＵＳＢ３．０標準が間もなく公布施行することと、ＵＳＢまたはＩＥＥＥ１３９４（１３９４．ｂなどの派生製品を含める）に基づくインターフェイス技術のデジタルマルチメディア音響システムはこれから発展する必然的な傾向になる。
【００１９】
本発明は上述の点を考慮してなされたもので、本発明者は１９９７年より上記の不合理な現状を変えるよう一連の発明である。それらは主に以下（（Ａ）ファミリーとして特許文献１〜９、（Ｂ）ファミリーとして特許文献１０〜１３、（Ｃ）ファミリーとして特許文献１４〜１８）が含まれている。
【先行技術文献】
【特許文献】
【００２０】
【特許文献１】ＷＯ  ０１／１５４９３
【特許文献２】ＣＮ００１２２１９７．３
【特許文献３】ＵＳＰ６７９５５６４
【特許文献４】ＣＮ２００５２００３５３７１．Ｘ
【特許文献５】ＣＮ２００６２００３３１２８．９
【特許文献６】特表２００３−５３１５０８
【特許文献７】ＵＳ２００５００９９２５５
【特許文献８】ＣＮ２００５１００９１９３６．０
【特許文献９】ＣＮ２００６１００２０３１７．７
【特許文献１０】ＷＯ  ９９／３１９３１
【特許文献１１】ＣＮ９９１１４７８１．２
【特許文献１２】ＴＷ８８１０９７９６
【特許文献１３】ＣＮ００２２２４６９．０
【特許文献１４】ＣＮ２００７１０１８１９７３．Ｘ
【特許文献１５】ＣＮ２００７１０１２３８２１．４
【特許文献１６】ＣＮ２００７２０１２６８７１．３
【特許文献１７】ＣＮ２００８１００６５３８４．Ｘ
【特許文献１８】ＣＮ２００８２００９２１７７．９
【発明の概要】
【発明が解決しようとする課題】
【００２１】
本発明の第一目的は技術の偏見と既存の技術の欠陥を克服し、ＵＳＢまたはＩＥＥＥ１３９４インターフェイスと通じて電力を供給し、抵抗負荷の特性または抵抗負荷特性に近似するものがある単振動板を用いる全周波帯の磁気ギャップ・マルチコイルのスピーカーは、１種類の高効率・省エネルギー・小型の材料倹約とハイファイを有する２．０チャンネルのデジタルマルチメディア音響システムが構成される。
【００２２】
本発明の第二目的は技術の偏見と既存の技術の欠陥を克服し、ＵＳＢまたはＩＥＥＥ１３９４インターフェイスと通じて電力を供給し、抵抗負荷の特性または抵抗負荷特性に近似するものがある単振動板を用いる全周波帯の多磁気ギャップ・マルチコイルのスピーカーは、１種類の高効率・省エネルギー・小型の材料倹約とハイファイを有する２．１チャンネルのデジタルマルチメディア音響システムが構成される。
【００２３】
本発明の第三目的は技術の偏見と既存の技術の欠陥を克服し、単独のＡＣ電源で電力供給・ＵＳＢまたはＩＥＥＥ１３９４インターフェイスを通じてオーディオのデジタル信号を提供し、抵抗負荷の特性または抵抗負荷の特性に近似するものがある単振動板を用いる全周波帯の多磁気ギャップ・マルチコイルのスピーカーは、１種類の高効率・省エネルギー・高効率の材料倹約とハイファイを有する４．１〜７．１チャンネルのデジタルマルチメディア音響システムが構成される。
【００２４】
本発明の第四目的は既存の技術の欠陥を克服し、既存の多磁気ギャップマルチコイルのスピーカーの技術特徴に対して改善と限定を更に行った。スピーカーの発電機の効果と逆起電力を取り除いて、超高効率とハイファイである一連の全周波帯を提供し、特に１種類の抵抗負荷の特性または抵抗負荷の特性に近似する超高効率とロー・ディストーションである重低音用サブウーファーを提供する。本発明の目的は以上のように実現したものである。
【課題を解決するための手段】
【００２５】
上記課題を解決し得た本発明の気体発生装置は、
（１）オーディオのデジタルインターフェイスを有するマルチメディア音響システムは、コンピュータまたはＣＤ−ＲＯＭのゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスとを接続する２．０チャネルの外付けのサウンドカード及び組合せＤタイプまたはＴタイプのオーディオのパワー増幅器のＩＣチップの１組、前記２．０チャネルの外付けのサウンドカードおよび前記オーディオのパワー増幅器の組合せの制御電気回路またはマイクロ・プロセッサＩＣチップの１組、１対の左右チャネルのスピーカーボックスが含まれている。
【００２６】
前記２．０チャネルの外付けのサウンドカード、前記ＩＣチップ及び関連ＳＭＤ表面構成部品または集成して一体としてなるＣＭＯＳ電気回路、指示した前記外付けのサウンドカードの作業状態のＬＥＤ信号灯、前記オーディオのパワー増幅器の音量調節装置はすべてＰＣＢ板の上に取り付けている或いはケーブルと接続構成部品で接続し、前記ＰＣＢ板は前記左チャネルのスピーカーバックスまたはボックスホルダーに取り付けられている。前記ＬＥＤ信号灯及び前記音量調節装置は全て左チャンネルのスピーカーパネルまたはスピーカーホルダーに取り付けている。前記ＰＣＢ板または左チャネルのスピーカーパネルにまた一つのインターフェイスと組合せのコンセントまたは１本のインターフェイスの延長線のプラグやコンピュータまたはＣＤ−ＲＯＭのゲーム機ＰＳ２の前記インターフェイスの一つを設置し接続する。前記左右チャネルのバネルにはまた１つのオーディオのコンセントを設置し接続し、前記右チャンネルのパネルには一つのオーディオコンセントを設け、１本のオーディオのケーブルは前記左右チャネルのスピーカーを接続し、１つの２．０チャネル・音響システムが構成される。
【００２７】
前記２．０チャンネルの外付けのサウンドカードは少なくとも１組の単方向通信方式の１６〜４８Ｂｉｔ２．１チャネルのデコーダーＤＡＣを備えて、前記ＤＡＣ及び前記ＩＣチップはコンピュータのＵＳＢインターフェイスの５Ｖ電源を通じて電力を供給し、且つ電源入力フットに最も近寄り、フィルターとエネルギー蓄電効果を兼ね備える１組の電解コンデンサーをそれぞれ並列接続する。規定された前記オーディオのパワー増幅器の定額作業電圧の下限値は前記ＤＡＣの定額作業電圧の下限値より１．１〜２．７Ｖ低くて、前記スピーカーは一つの幅が十分に大きくて大動態低音周波の信号を輸出する時、前記のパワー増幅器及び前記ＤＡＣの瞬間作業の電圧は作業電圧の下限値を基本的に上回らない。
【００２８】
前記左右スピーカーには少なくとも一つの抵抗負荷の特性または抵抗負荷の特性に近似する多磁気ギャップ・マルチコイルであるスピーカーを設置し、規定された前記多磁気ギャップ・マルチコイルのスピーカーはφ７インチ以下の口径の円錐形の振動板或いは内凹形の振動板を配置し、規定された前記円錐形の振動板の中心孔の直径はφ２６〜φ３３ｍｍを上回らず、二つの同軸共点発声、前記多磁気ギャップ・マルチコイルのスピーカーのインダクタンス及びその往復運動過程で感応し得る逆起電力で１８０度の位相角を持ち、交互に相殺しあう全周波スピーカーが構成される。
【００２９】
規定された前記オーディオのパワー増幅器の額定作業電圧はＤＣ５．２５Ｖ以下またはＤＣ８〜１５Ｖであり、前記左右オーディオのパワー増幅器のチャンネルごとに定額連続出力パワーを１Ｗまたは２Ｗ以下とし、ＵＳＢインターフェイスまたはＩＥＥＥ１３９４インターフェイスと通じて電力を供給し、感度とハイファイを有する一種類の２．０チャンネルのデジタルマルチメディア音響システムが構成される。
【００３０】
（２）オーディオのデジタルインターフェイスを有するマルチメディア音響システムは、コンピュータまたはＣＤ−ＲＯＭのゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスとの接続する２．１外付けのサウンドカード及び組合せＤ種類またはＴタイプの２．１チャネルのオーディオのパワー増幅器  ＩＣチップの１組、前記２．１チャネルの外付けのサウンドカードおよび前記オーディオのパワー増幅器の組合せの制御電気回路またはマイクロ・プロセッサＩＣチップの１組、１対の左右チャネルのスピーカーボックス及び１つの重低音用サブウーファーボックスが含まれている。
【００３１】
前記２．１チャネルの外付けのサウンドカード、前記ＩＣチップ及び関連ＳＭＤ表面構成部品または集成して一体としてなるＣＭＯＳ電気回路、指示した前記外付けのサウンドカードの作業状態のＬＥＤ信号灯、前記２．１オーディオのパワー増幅器の音量調節装置はすべてＰＣＢ板の上に取り付けている、前記ＰＣＢ板、前記ＬＥＤ信号灯、前記音量調節装置は全て重低音用サブウーファーボックス内にまたはそのパネルに取り付けられている。前記ＰＣＢ板または重低音用サブウーファーのパネルにまた二つのインターフェイスと組合せのコンセントまたは１本のインターフェイスの延長線のプラグやコンピュータまたはＣＤ−ＲＯＭのゲーム機ＰＳ２の前記インターフェイスの一つを設置し接続する。前記左右チャネルのバネルにはまた１つのオーディオのコンセントを設置し、２本のオーディオのケーブルは前記左右チャネルのスピーカーと重低音用サブウーファーボックスとを接続し、１つの２．１チャネル・音響システムが構成される。
【００３２】
前記２．１チャネルの外付けのサウンドカードは少なくとも１組の単方向通信方式の１６〜４８Ｂｉｔ２．１チャネルのデコーダーＤＡＣを備えて、その中左右チャンネルの信号は前記ＤＡＣが前記左右チャンネルのパワー増幅器のＩＣチップに接続し、その他の重低音のアナログ信号が通過帯域幅２０Ｈｚから最高の２５０Ｈｚを通じる電子の周波数分割器は前記重低音用パワー増幅器に接続する。
【００３３】
前記コンピュータがＰＣの時、前記ＤＡＣは前記オーディオのパワー増幅器はＰＣの１つのＵＳＢのインターフェイスが５Ｖ電源を提供し、前記重低音のオーディオのパワー増幅器はＰＣのその他の１つのＵＳＢのインターフェイスが５Ｖ電源を提供する；前記コンピュータはＡＰＰＬＥ機な時、前記ＤＡＣ、前記オーディオのパワー増幅器、前記電子周波数分割器、前記重低音のパワー増幅器は全て同一のＩＥＥＥ１３９４インターフェイスからＤＣ８〜１５Ｖの電源を提供する。
【００３４】
前記ＤＡＣ及び前記左右オーディオのパワー増幅器のＩＣチップはコンピュータＵＳＢインターフェイスの５Ｖ電源で電力を供給し、そして前記ＤＡＣ及びＩＣチップの電源入力フットに最も近寄り、フィルターとエネルギー蓄電効果を兼ね備える１組の電解コンデンサーをそれぞれ並列接続する。規定された前記オーディオのパワー増幅器の定額作業電圧の下限値は前記ＤＡＣの定額作業電圧の下限値より１．１〜２．７Ｖ低くて、前記スピーカーは一つの幅が十分に大きくて大動態低音周波の信号を輸出する時、前記オーディオのパワー増幅器及び前記ＤＡＣの瞬間作業の電圧は作業電圧の下限値を基本的に上回らない。
【００３５】
前記重低音可聴周波のパワー増幅器のＩＣチップは電源入力フットにもっとも近くて単独でフィルターとエネルギーの貯蓄効果とを兼ね備える１組の容量が１，０００〜１００，０００μＦ以下の電解コンデンサーの放電回路を並列接続する。
【００３６】
前記左右スピーカーには少なくとも一つの抵抗負荷の特性または抵抗負荷の特性に近似する多磁気ギャップ・マルチコイルであるスピーカーを設置し、規定された前記多磁気ギャップ・マルチコイルのスピーカーはφ７インチ以下の口径の円錐形の振動板或いは内凹形の振動板を配置し、規定された前記円錐形の振動板の中心孔の直径はφ２６〜φ３３ｍｍを上回らず、二つの同軸共点発声、前記多磁気ギャップ・マルチコイルのスピーカーのインダクタンス及びその往復運動過程で感応し得る逆起電力で１８０度の位相角を持ち、交互に相殺しあう全周波スピーカーが構成される。
【００３７】
前記重低音スピーカーボックスには一つの抵抗負荷の特性または抵抗負荷の特性に近似する多磁気ギャップ・マルチコイルを有するスピーカーを設置し、規定された前記多磁気ギャップ・マルチコイルのスピーカーをφ７インチ以下の口径の円錐形の振動板または内凹形の振動板を配置し、規定された円錐形の振動板の中心孔の直径はφ２６〜φ３３ｍｍを上回らず、一つの同軸共点発声、前記多磁気ギャップ・マルチコイルのスピーカーのインダクタンス及びその往復運動過程で感応し得る逆起電力で１８０度の位相角を持ち、交互に相殺しあう帯通式の重低音用サブウーファーが構成される。
【００３８】
規定された前記オーディオのパワー増幅器の額定作業電圧はＤＣ５．２５Ｖ以下ＤＣ８〜１５Ｖであり、前記左右オーディオのパワー増幅器のチャンネルごとに定額連続出力パワーを１ＷまたはＷ以下とし、前記重低音のオーディオのパワー増幅器の額定連続出力パワーを２Ｗまたは４Ｗ以下とし、ＵＳＢインターフェイスまたはＩＥＥＥ１３９４インターフェイスを通じて電力を供給し、感度とハイファイを有する一種類の２．１チャンネルのデジタルマルチメディア音響システムが構成される。
【００３９】
（３）オーディオのデジタルインターフェイスを有するマルチメディア音響システムは、コンピュータまたはＣＤ−ＲＯＭのゲーム機ＰＳ２の少なくとも１つのＵＳＢインターフェイスまたはＩＥＥＥ１３９４インターフェイスまたは同軸ケーブルのインターフェイスまたは光ファイバーのインターフェイス、ＵＳＢまたはＩＥＥＥ１３９４インターフェイスとの接続する４．１〜７．１外付けのサウンドカード及び組合せＤタイプまたはＴタイプのオーディオのパワー増幅器ＩＣチップの１組、前記４．１〜７．１外付けのサウンドカードおよび前記オーディオのパワー増幅器の組合せの制御電気回路またはマイクロ・プロセッサＩＣチップの１組、４〜７個の衛星スピーカーボックス及び１つの重低音用サブウーファーが含まれている。
【００４０】
前記４．１〜７．１チャネルの外付けのサウンドカード、前記ＩＣチップ及び関連ＳＭＤ表面構成部品または集成して一体としてなるＣＭＯＳ電気回路、指示した前記外付けのサウンドカードの作業状態のＬＥＤ信号灯、前記４．１〜７．１オーディオのパワー増幅器の音量の調節装置はすべてＰＣＢ板の上に取り付けられ、前記ＰＣＢ板、前記ＬＥＤ信号灯、前記音量の調節装置は全て重低音用サブウーファーボックス内に、またはそのパネルに取り付けられている。前記ＰＣＢ板または重低音用サブウーファーのパネルにまたンターフェイスと組合せのコンセントまたは１本のインターフェイスの延長線のプラグやコンピュータまたはＣＤ−ＲＯＭのゲーム機ＰＳ２の前記インターフェイスの一つを設置し接続する。前記４〜７個の衛星スピーカーのパネルではまた１つのオーディオのコンセントがそれぞれ設けられており、４〜７本のオーディオのケーブルは前記４〜７個の衛星スピーカーと重低音用サブウーファーボックスとを接続し、１つの４．１〜７．１チャネル・音響システムが構成されている。
【００４１】
前記４．１〜７．１チャネルの外付けのサウンドカードは少なくとも１組の単方向通信方式の１６〜４８Ｂｉｔ４．１〜７．１チャネルのデコーダーＤＡＣを備えて、その中の４〜７チャネル信号は前記ＤＡＣが組合せた前記４〜７チャネルのオーディオパワー増幅器のＩＣチップに接続し、その他の重低音のアナログ信号が通過帯域の２０Ｈｚから最高の２５０Ｈｚを通じる電子周波数分割器は前記重低音のオーディオのパワー増幅器に接続される。
【００４２】
前記４．１〜７．１チャネルの外付けのサウンドカードは前記ＵＳＢインターフェイスまたはＩＥＥＥ１３９４インターフェイスを通じて電力を供給し、前記４〜７チャネルのオーディオパワー増幅器、前記重低音のオーディオパワー増幅器、前記制御保護電気回路またはマイクロ・プロセッサＩＣチップは重低音用サブウーファーボックスの一つのＤＣ／ＡＣ電源を設置して単独に電力を提供し、前記ＤＡＣ及び４〜７チャネルのオーディオパワー増幅器のＩＣチップに最も近く寄った前記ＤＡＣ及びＩＣチップの電源入力フットにはフィルターとエネルギー蓄電効果を兼ね備える１組の電解コンデンサーをそれぞれ並列接続する。前記スピーカーは一つの幅が十分に大きくて大動態低音周波の信号を輸出する時、前記オーディオのパワー増幅器及び前記ＤＡＣの瞬間作業の電圧は定額作業電圧の下限値を基本的に上回らない。
前記重低音可聴周波のパワー増幅器ＩＣチップは電源入力フットにもっとも近くて単独でフィルターとエネルギーの貯蓄効果とを兼ね備える１組の容量１，０００〜１００，０００μＦ以下の電解コンデンサーの放電回路を並列接続する。
【００４３】
前記４〜７個の衛星スピーカーボックスには少なくとも一つの抵抗負荷の特性または抵抗負荷の特性に近似する多磁気ギャップ・マルチコイルのスピーカーは、前記多磁気ギャップ・マルチのコイルのスピーカーは１つの≦φ７インチの径の円錐形の振動板だけ、または内凹形の振動板を配置し、前記円錐形の振動板の中心孔の直径はφ２６〜φ３３ｍｍを上回らないように規定されており、４〜７個の同軸共点発声、前記多磁気ギャップ・マルチコイルのスピーカーのインダクタンス及びその往復運動過程で感応し得る逆起電力で１８０度の位相角を持ち、交互に相殺しあう全周波スピーカーが構成される。
【００４４】
重低音用サブウーファーボックスには一つの抵抗負荷の特性または抵抗負荷の特性に近似する多磁気ギャップ・マルチコイルを有するスピーカーを設置し、前記多磁気ギャップ・マルチコイルのスピーカーはφ１０インチ以下の径の円錐形の振動板または、内凹形の振動板を配置し、円錐形の振動板のインナーホールの直径はφ２６〜φ３３ｍｍを上回らないように規定されており、一つの同軸共点発声、前記多磁気ギャップ・マルチコイルのスピーカーのインダクタンス及び往復運動過程で感応し得る逆起電力で１８０度の位相角を持ち、交互に相殺しあう帯通式の重低音用サブウーファーが構成される。
【００４５】
前記４〜７オーディオのパワー増幅器のチャンネルごとに定額出力パワーが１Ｗ以下であり、前記重低音のオーディオのパワー増幅器の定額連続出力パワーは４Ｗ〜８Ｗと規定しており、独立のＡＣ／ＤＣ電源を通じて電力を供給し、超高感度とハイファイを有する４．１〜７．１チャンネルのデジタルマルチメディア音響システムが構成される。
【００４６】
（４）音声周波デジタルインターフェイスを有するデジタルマルチメディア音響システムは、前記重低音用サブウーファーボックスに帯通式の重低音スピーカーを除いてすべての構成部品及び装置が取り付けられており、すべては低音スピーカーボックスから分離可能で１つの独立パワー増幅器が構成される；  前記独立パワー増幅器のパネルに必要な指示の調節設備を設け、オーディオインターフェイスとオーディオ出力のコンセント、前記４〜７個の衛星スピーカー及び前記重低音用サブウーファーのパネルに１つのオーディオのコンセントをそれぞれ設置し、５〜８本のオーディオのケーブルは前記独立パワー増幅器と前記（４＋１）〜（７＋１）個のスピーカーとを連続し、１つの４．１（＋１）の〜７．１（＋１）チャンネルのデジタルマルチメディア音響システムが構成される。
【００４７】
（５）音声周波デジタルインターフェイスを有するマルチメディア音響システムは、前記多磁気ギャップ・マルチコイルのスピーカーは、１つの双磁気ギャップ・ダブルコイルのスピーカーであり、前記スピーカーは二枚の同じ軸に取り付けられており、且つ対称に配置されている上プレートと下プレートは二枚の円形フラットであり、厚さの方向で磁化された一枚の円形磁石またはネオジム磁石を前記上プレートとしたプレートの間に組合せ、ひとつが前記上プレートと下プレートに同じ軸に取り付けられている環状磁気ヨークは軸の高度に前記上プレートと下プレートの外側磁極面よりそれぞれ０．５〜８ｍｍを上回り、そして２組みの上下全対称の磁気ギャップの磁気回路を構成し、前記環状磁気ヨークの内周面は前記上プレートと下プレートの垂直周面には２つの同じ軸と同じ径の環状磁気ギャップを構成し、前記環状磁気ギャップに電磁線を挿入して横断面積に等しい同じ軸・同じ径の二つのコイル、前記コイルが１層或いは２層の電磁線で焼結し、前記二つのコイルの間には相応的な間隔を設置し、規定された前記二つのコイルの巻き回り及びコイルを流れる電流方向は、前記二つのコイルが同じ作業の瞬間で同じ方向の電流力Ｆを生じる。
【００４８】
前記上プレートと下プレートの中央軸孔の中心軸線を垂直対称軸にして、前記磁石ネオジム磁石の二分の一の軸上高度の二等分線Ｘ−Ｘ軸線を水平対称軸にし、前記スピーカーは幾何形状と磁性性能の方面左右、上下対称を有する２組の対称磁気回路である。
【００４９】
規定された２組みの前記コイルの電磁線横断面積、コイルの巻き数、コイルの巻き幅、コイルの抵抗、コイルのインダクタンス量の絶対値、線を巻く時の張力がお互いに相等し、前記磁石ネオジム磁石の二分の一の軸上高度の二等分線Ｘ−Ｘ軸線を水平対称軸にし、前記スピーカーは２組の上下対称のコイル回路があって、抵抗負荷の特性または抵抗負荷の特性に近似する２磁気ギャップ・２コイルの内磁型の全周波帯のスピーカーまたは帯通式の重低音用サブウーファーが構成される。
【００５０】
（６）音声周波デジタルインターフェイスを有するデジタルマルチメディア音響システムは、前記多磁気ギャップ・マルチコイルのスピーカーは、１つの２磁気ギャップ・２コイルのスピーカーで、前記スピーカーは二枚の同じ軸に取り付けられており、且つ対称に配置されている上プレートと下プレートは二枚の円形フラットであり、厚さの方向で磁化された一枚の円形磁石またはネオジム磁石を前記上プレートとしたプレートの間に組合せ、ひとつが前記上プレートと下プレートに同じ軸に取り付けられている環状磁気ヨークは軸の高度に前記上プレートと下プレートの外側磁極面よりそれぞれ０．５〜８ｍｍを上回り、そして２組みの上下全対称の磁気ギャップの磁気回路を構成し、前記環状磁気ヨークの内周面は前記上プレートと下プレートの垂直周面には２つの同じ軸と同じ径の環状磁気ギャップを構成し、前記環状磁気ギャップに電磁線を挿入して横断面積に等しい同じ軸・同じ径の二つのコイル、前記コイルが１層或いは２層の電磁線で焼結し、前記二つのコイルの間には相応的な間隔を設置し、規定された前記二つのコイルの巻き回り及びコイルを流れる電流方向は、前記二つのコイルが同じ作業の瞬間で同じ方向の電流力Ｆを生じる。
【００５１】
前記上プレートと下プレートとの中心軸線を垂直対称軸にして、前記磁石ネオジム磁石の二分の一の軸上高度の二等分線Ｘ−Ｘ軸線を水平対称軸にし、前記スピーカーは幾何形状と磁性性能の方面を有する左右、上下対称の２組みの対称磁気回路である。規定された２組みの前記コイルの電磁線横断面積、コイルの巻き数、コイルの巻き幅、コイルの抵抗、コイルのインダクタンス量の絶対値、線を巻く時の張力がお互いに相等し、前記磁石またはネオジム磁石の二分の一の軸上高度の二等分線Ｘ−Ｘ軸線を水平対称軸にし、前記スピーカーは２組みの上下対称のコイル回路があって、抵抗負荷の特性または抵抗負荷の特性に近似する２磁気ギャップ・２コイルの内磁型の全周波帯のスピーカーまたは帯通式の重低音用サブウーファーが構成される。
【００５２】
（７）音声周波デジタルインターフェイスを有するデジタルマルチメディア音響システムは、上記の多磁気ギャップ・マルチコイルのスピーカーは１つの３磁気ギャップ・３コイルのスピーカーで、一枚の磁性材料で製作した円形プレートの両側の平面に厚さの方向で磁化された円形磁石またはネオジム磁石がそれぞれ一枚取り付けられており、前記磁石は円形プレートに寄る片側は同じ磁極性があることで、前記磁石の外側平面にはまた磁性材料で製作した円形プレートがそれぞれ一枚取り付けられている。これによって一対の反発型磁石が構成されており、前記同じ軸に取り付けられている３枚の円形プレートは同じの投影面積があって、且つ同じ軸に取り付けられている２枚の上記の磁石の投影平面を組合せる。ひとつが上記の円形プレートの中心軸線と同じ軸に取り付けられている環状磁気ヨークは軸の高度に上記の外側円形プレートの外側磁極面よりそれぞれ０．５〜８ｍｍを上回り、そして２組みの上下全対称の磁気ギャップの磁気回路が構成されており、ひとつは前記反発型磁石の同じ軸に取り付けられている環状の磁性体の内周面が円形プレートの垂直周面との間には３つの同じ軸と同じ径の環状磁気ギャップが構成されている。前記環状磁気ギャップに電磁線を挿入して横断面積に等しい同じ軸・同じ径の三つのコイル、前記コイルが１層或いは２層の電磁線で焼結し、前記三つのコイルの間には相応的な間隔を設置し、規定された前記コイルの巻き回り及びコイルを流れる電流方向は、前記三つのコイルが同じ作業の瞬間で同じ方向の電流力Ｆを生じる。
前記円形プレートの中心軸線を垂直対称軸にして、前記中央に置く磁石の二分の一の軸上高度の二等分線Ｘ−Ｘ軸線を水平対称軸にし、前記スピーカーは幾何形状と磁性性能の方面左右、上下対称を有する２組の対称磁気回路である。
【００５３】
前記コイルの抵抗、コイルの巻き幅、コイルのインダクタンス量の絶対値、巻き線の時の張力が互いに等しくすることを設定し、前記中央に置く磁石の二分の一の軸上高度の二等分線Ｘ−Ｘ軸線を水平対称軸にして、前記スピーカーは２組の上下対称のコイル電気回路があって、１種類の抵抗負荷の特性または抵抗負荷の特性に近似する３磁気ギャップ・スリーコイルの内磁型の全周波帯のスピーカーまたは帯通式の重低音用サブウーファーが構成される。
【００５４】
（８）音声周波デジタルインターフェイスを有するマルチメディア音響システムは、前記３磁気キャップ・スリーコイルの内磁型スピーカーの３枚のプレート及び２枚の磁石の軸心部は全ての投影面積に等しい中央の軸孔を設けて、前記スピーカーは非磁性材料で製作した前記ブラケットの軸心部にも１つの投影面積と相等の中央軸孔または組合せのボルトホールを設置し、１本の非磁性材料で製造した締付金具は前記軸孔または組合せのボルトホールを通じ、そして前記プレートに組合せの非磁性材料で製作したクランプの一枚を利用し、前記プレートと前記磁石に十分な静圧力を加え、そして前記スピーカーの前記ブラケットはそれらが固着されている。
【００５５】
（９）音声周波デジタルインターフェイスを有するマルチメディア音響システムは、上記の多磁気ギャップ・マルチコイルのスピーカーは１つの４磁気ギャップ・フォアコイルのスピーカーまたは４つ以上の磁気ギャップ・４つ以上のコイルのスピーカーである。上記のスピーカーは磁性材料で製作した円形プレートが一枚あって、前記円形プレートの両側の平面に厚さの方向で磁化された円形磁石／またはネオジム磁石はそれぞれ一枚が取り付けられており、前記磁石は円形プレートに寄る片側は同じ磁極性があることで、前記磁石の外側平面にはまた磁性材料で製作した円形プレートはそれぞれ一枚が取り付けられており、これによって３組または３組以上の反発型磁石を構成して、前記同じ軸に取り付けられている４枚または４枚以上の円形プレートは同じの投影面積があって、且つ同じ軸に取り付けられている３枚または３枚以上の上記の磁石の投影平面と組合せ、ひとつが上記の円形プレートの中心軸線と同じ軸に取り付けられている環状磁気ヨークは軸の高度に上記の外側円形プレートの外側磁極面よりそれぞれ０．５〜８ｍｍを上回り、そして２組みの上下全対称の磁気ギャップの磁気回路を構成し、ひとつは前記反発型磁石の同じ軸に取り付けられている環状の磁性体の内周面が円形プレートの垂直周面との間には４つまたは４つ以上の同じ軸と同じ径の環状磁気ギャップが構成されており、前記環状磁気ギャップに電磁線を挿入して横断面積に等しい同じ軸・同じ径の４つまたは４つ以上のコイル、前記コイルの間には相応的な間隔を設置し、前記コイルの巻き回り及びコイルを流れる電流方向を規定し、前記コイルが同じ作業の瞬間で同じ方向の電流力Ｆを生じる。
【００５６】
前記円形プレートの中心軸線を垂直対称軸にして、前記中央に置く磁石の二分の一の軸上高度の二等分線Ｘ−Ｘ軸線を水平対称軸にし、前記スピーカーは幾何形状と磁性性能の方面左右、上下対称を有する３組または３組以上の対称磁気回路である。
【００５７】
前記コイル６０９Ａ及び６０９Ｃは振動板の外側方向から入る時、時計回りを有する。前記コイル６０９Ｂおよび６０９Ｄは必ず左回りがあって、その逆もまた然りである。前記コイル６０９Ａの末端ＹＡがコイル６０９Ｂの先端部ＸＢと連結し、前記コイル６０９Ｂの末端ＹＢはコイルの６０９Ｃの先端部ＸＣと連結、前記コイル６０９Ｃの末端ＹＣはコイル６０９Ｄの先端部ＸＤと連結し、前記コイル６０９Ｄの末端ＹＤが前記コイル骨格に沿って垂直に引上げて、前記コイル６０９Ａの先端部ＸＡと一緒に上記の変換器の１対の信号入力端子を構成し、規定された前記コイル６０９Ａと６０９Ｄ及び前記コイル６０９Ｂと６０９Ｃの電磁線横断面積、コイルの巻き数、コイルの巻き幅、コイルの抵抗、コイルのインダクタンス量の絶対値に等しい。即ち、｜６０９Ａ｜＋｜６０９Ｂ｜＝｜６０９Ｄ｜＋｜６０９Ｃ｜および巻き線の張力は互いに等しくて、前記中央に置く磁石の二分の一の軸上高度の二等分線Ｘ−Ｘ軸線を水平対称軸にして、前記スピーカーは２組の上下対称のコイル電気回路があって、ここから１種類の抵抗負荷の特性または抵抗負荷の特性に近似する四磁気ギャップ・フォアコイルまたはもっと多磁気ギャップとコイルの内磁型の全周波帯のスピーカーまたは帯通式の重低音スピーカーが構成される。
【００５８】
（１０）音声周波デジタルインターフェイスを有するマルチメディア音響システムは、前記四磁気ギャップ・フォアコイル或いはもっと多磁気ギャップとコイルの内磁型スピーカーの４つまたは４つ以上の前記プレートや３つまたは３つ以上の前記磁石の軸心部は全ての投影面積に等しい中央の軸孔があって、前記スピーカーは非磁性材料で作り出した前記ブラケットの軸心部にも一つの投影面積に等しい中央の軸孔または組合せのボルトホールを設置し、１本の非磁性材料で製造した締付構成部品は前記軸孔または組合せのボルトホールを通じ、且つ前記プレートに合わせる非磁性材料で製造したクランプの一枚を利用し、前記プレートと前記磁石に十分な静圧力を加え、そして前記スピーカーの前記ブラケットにそれらが固着されている。
【発明の効果】
【００５９】
本発明は以下の有益な効果がある：
（１）ＰＣのＵＳＢインターフェイスで提供した２×１Ｗまたは２×２Ｗオーディオの出力パワーだけを利用し、１対の７インチ径より大きくない単振動板の全周波帯スピーカーを駆動させて、それで１つの２．０チャネルの省エネ型のデジタルマルチメディア音響システムが構成される。
（２）ＰＣのＵＳＢインターフェイスで提供した（２×１）Ｗ＋（１×２）Ｗまたは（２×２）Ｗ＋（１×４）Ｗオーディオの出力パワーだけを利用し、１対の７インチの口径より大きくない単振動板の全周波帯のスピーカーと１枚の７インチの口径より大きくない単振動板の重低音スピーカーとを駆動させて、それで１つの２．１チャンネルの省エネ型のデジタルマルチメディア音響システムが構成される。
（３）スピーカーの逆起電力に制約されたスピーカーの効率向上は、この世界の電気音響領域に悩ませた１３０年余りの技術難題を突破した。
（４）２．０チャンネルと２．１チャンネルのデジタルマルチメディア音響システムには、伝統的な電源トランス、高音域スピーカー、周波数分割器とパワー増幅器のアルミニウムの放熱器を淘汰した。大量の貴重な社会資源を節約した。
（５）コンピュータの消費者に最も簡単で最も安全なマルチメディア音響システムの操作取扱案の一つを提供する。
（６）ＬＡＮとインターネットを通じてコンピュータの遠隔リアルタイムモニターを実施される。
（７）本発明は予想しきれない技術の効果が得られた。本発明者の既存特許技術である組合発明及びその改善技術方案を利用し、伝統的なコンピュータの２．０及び２．１チャンネルはアクチブのマルチメディア音響システムから受動的なデジタルマルチメディア音響システムに転換する。保守的に推定すれば、コンピュータごとに平均的に２０Ｗ電気エネルギーを節約し、全世界保有量である１０億台のコンピュータの環境保護の省エネルギーの事業に際立っている貢献を作り出すことができる。
【００６０】
最後に指摘しなければならないのは、本発明図１から図２１までの示したこと及びＡ特許族、Ｂ特許族、Ｃ特許族が提出したすべての磁気回路の構造型式と異なるスピーカーのコイル電気回路の接続方法を利用し、各種類の異なるタイプの外磁型と内磁型の全周波帯のスピーカーと相応するマルチメディア音響システムを組み合わせる。本発明は全ての実施例を１つ１つ挙例できないが、本発明の上述した技術の特徴はどのように配列・組合せ至ってはこのよう又はそのような局部改正を作り出すことに関わらず、それらの全体技術案と発明核心内容は全てが本発明の権利要請と本説明書のすでに出した有効範囲を超えられない。
【図面の簡単な説明】
【００６１】
【図１】オーディオデジタルインターフェイスを有する２．０チャンネルのマルチメディア音響システムのブロック図である。
【図２】オーディオデジタルインターフェイスを有する２．１チャンネルのマルチメディア音響システムのブロック図である。
【図３】アナログーディジタル変換器とデジタル・オーディオのパワー増幅器とを一体化してなるブロック図である。
【図４】オーディオデジタルインターフェイスを有する５．１チャンネルのマルチメディア音響システムのブロック図である。
【図５】両磁気ギャップのダブルコイルの外磁型スピーカーの実施例の従断面図である。
【図６】両磁気ギャップのダブルコイルの内磁型スピーカーの実施例の従断面図である。
【図７】三磁気ギャップのスリーコイルの内磁型スピーカーの実施例の従断面図である。
【図８】四磁気ギャップのフォアコイルの内磁型スピーカーの実施例の従断面図である。
【図９】既存技術の外側のプレートの磁気ギャップ磁力線の分布説明図である。
【図１０】本発明の外側のプレートの磁気ギャップ磁力線の分布説明図である。
【図１１】対称磁気回路及び対称コイルの磁気回路で逆起電力の交互に相殺しあう作業原理説明図である。
【図１２】両磁気ギャップのダブルコイルのスピーカーのコイル電気回路原理の配線図である。
【図１３】三磁気ギャップのスリーコイルのスピーカーのコイル電気回路原理の配線図（一）である。
【図１４】三磁気ギャップのスリーコイルのスピーカーのコイル電気回路原理の配線図（二）である。
【図１５】四磁気ギャップのフォアコイルのスピーカーのコイル電気回路原理の配線図である。
【図１６】２．０チャンネルのマルチメディア音響システムの実施例である。
【図１７】２．１チャンネルのマルチメディア音響システムの実施例である。
【図１８】三磁気ギャップのスリーコイルの内磁型スピーカーの磁気芯とブラケットの取り付け説明図である。
【図１９】四磁気ギャップのフォアコイルの内磁型スピーカーの磁気芯とブラケットの取り付け説明図である。
【図２０】既存技術の単磁気ギャップのシングルコイルのスピーカーのオーディオ電流と逆起電力の作業原理の説明図である。
【図２１】対称磁気回路と対称コイルの電気回路の多磁気ギャップマルチコイルのスピーカーのオーディオ電流と逆起電力作業原理の説明図である。
【発明を実施するための形態】
【００６２】
図１は、本発明のオーディオデジタルインターフェイスを有する２．０チャンネル・マルチメディアシステムを示したものである。
【００６３】
構成部品１はコンピュータまたはＣＤ−ＲＯＭのゲーム機ＰＳ２で、それは少なくとも一つのＵＳＢ（ユニバーサルシリアルバス）インターフェイスまたはＩＥＥＥ１３９４インターフェイスまたは同軸ケーブルのインターフェイスまたは光ファイバーのインターフェイスを通して、オーディオのデジタルデコーダー（ＤＡＣ）２と１組のＤタイプまたはＴタイプのオーディオのパワー増幅器の３に５Ｖまたは８〜１２Ｖの直流電源とオーディオのデジタル信号の周波を提供する。コンピュータまたはＰＳ２の通用連続デジタルバスでコントロールを実施された外付けのＵＳＢ単方向通信方式のソフトサウンドカードまたはＩＥＥＥ１３９４単方向通信方式のソフトサウンドカードの１つが構成される。ＤタイプまたはＴタイプのパワー増幅器３の出力連続パワーが２×１Ｗぐらいの２．０オーディオ・アナログパワーは、左スピーカー４を通じて右スピーカー５に接続される。その基本的な構造と作業原理は既存技術のＵＳＢ音響システムと同様である。
【００６４】
図２は、本発明のオーディオデジタルインターフェイスを有する２．１チャンネルのマルチメディア音響システムを示したものである。
【００６５】
構成部品１〜５は、図１の構成部品１〜５と同様である。構成部品ｇ６は重低音用サブウーファー（ウーファー）で、構成部品８は電子の周波数分割器で、その通過帯域は２０Ｈｚ〜２５０ＨＺに選択使用可能。構成部品７はＤタイプ／またはＴタイプの重低音のオーディオのパワー増幅器で、構成部品９は同じＰＣまたはＣＤ−ＲＯＭのゲーム機とＰＳ２のその他の１組のＵＳＢのインターフェイスで、重低音のオーディオパワー増幅器に独立のＤＣ５Ｖ電源を提供する。もしＵＳＢ２．０インターフェイスは標準的であれば、図２の左右チャンネルのスピーカーの最大連続入力パワーは約２×１Ｗ以下、重低音用サブウーファーの最大連続入力パワーは約１×２Ｗ以下である。もしＵＳＢ３．０インターフェイスは標準的であれば、図１の２．０チャンネルのマルチメディア音響システムの最大連続入力パワーは約２×２Ｗ以下であり、重低音用サブウーファーの最大連続入力のパワーは約１×４Ｗ以下である。
【００６６】
図３は、アナログーディジタル変換器とデジタルのオーディオパワー増幅器とを一体化してなるフレーム図を示したものである。
【００６７】
オーディオのデジタルデコーダー（ＤＡＣ）２と１組のＤタイプまたはＴタイプのオーディオのパワー増幅器３とを同じのＩＣチップに集成された。例えば、ＣＭｅｄｉａ会社のＣＭ６１２０Ｓ  ＩＣチップがＤＡＣと左右チャンネルのオーディオのパワー増幅器３及び相応の水晶振動電気回路、過負荷の熱保護、ショート保護などの補助電気回路を全て同じのＩＣチップに配置された。
【００６８】
図４は、本発明のオーディオデジタルインターフェイスを有する５．１チャンネルのマルチメディアシステムを示したものである。
【００６９】
構成部品１、構成部品２、構成部品３は図１に示した構成部品１、構成部品２、構成部品３と全く同じである。構成部品４から構成部品８までは５つの衛星スピーカーである。それぞれはフロント左スピーカー・センタースピーカー・フロント右スピーカー・左サラウンドスピーカーと右サラウンドスピーカーである。構成部品１１は電子の周波数分割器で、その帯域幅は２０Ｈｚから２５０Ｈｚまでに配置選択が必要である。構成部品１０はＤタイプまたはＴタイプの重低音のオーディオのパワー増幅器で、そのアナログ出力電流が重低音用サブウーファー９に接続された。構成部品１３は一つの独立なＡＣ電源またはバッテリーで、すべての構成部品または構成部品２以外の他の構成部品に必要なＤＣ電源を供給する。
【００７０】
図４に示した枠体によって、相応しい衛星スピーカーの数量を選らべば、本発明は同様に４．１、７．１チャンネルのデジタルマルチメディア音響システムに適用される。
【００７１】
図５は、本発明の両磁気ギャップ・ダブルコイルの外磁型のスピーカー実施例の縦断面図を示したものである。これは本発明者が提出したＣＮ２００６１００２０３１７．７特許出願に基いて作成した技術改善案である。上プレート２０３Ａと下プレート２０３Ｂの同じ軸に取り付けている環状の磁石ヨーク２１３は軸の高度で上プレートと下プレートの外側極面Ｈ＝０．５〜８ｍｍをそれぞれ上回り、２組の上下対称磁気ギャップの磁気回路を構成させて、前記環状の磁石ヨーク２１３の外周面や上プレート２０３Ａと下プレート２０３Ｂの中央軸孔の垂直週面の間で同軸方向等径の環状の磁気ギャップ２１０Ａと２１０Ｂを２つ構成し、この２つの環状の磁気ギャップで同軸方向等径のコイル２０９Ａと２０９Ｂを２本挿入する。前記コイルは１層または２層の電磁線から焼結し、２本のコイル２０９Ａと２０９Ｂの間で相応の間隔を配置し、２本のコイルの巻き方向及びコイルを通う電流方向を規定し、２本のコイル２０９Ａと２０９Ｂを同一作業の瞬間で同一方向の電流力Ｆを生じる。
【００７２】
上プレート２０３Ａと下プレート２０３Ｂの中央軸孔の中心軸線を垂直対称軸にして、前記のネオジム磁石の二分の一の軸上高度の二等分線Ｘ−Ｘ軸線を水平対称軸にして、前記スピーカーは幾何形状状と磁性性能の方面が左右、上下対称の２組みの対称磁気回路を有するものである。二つのコイル２０９Ａと２０９Ｂの電磁線横断面積、コイルの巻き数、コイルの巻き幅、コイルの抵抗、コイルのインダクタンス量の絶対値、巻き線の張力が互いに等しくすることを設定し、前記ネオジム磁石の二分の一の軸上高度の二等分線Ｘ−Ｘ軸線を水平対称軸にして、前記スピーカーは２組の上下対称のコイル電気回路があってこそ、本発明の実質例に２本のコイル２０９Ａと２０９Ｂのインダクタンス及びその複式運動過程で感応して得た逆起電力は１８０度の位相角があって交互に相殺しあう。本実例に前記スピーカーは一つの抵抗負荷の特性または抵抗負荷の特性に近似し、且つ超高感度とハイファイを有する多磁石隙間・マルチコイルのスピーカーである。
【００７３】
図６は、本発明の両磁気ギャップ・ダブルコイルの内磁型スピーカーの実施例の縦断面図を示したものである。
【００７４】
上プレート１０３Ａと下プレート１０３Ｂは厚さが等しくて、投影の面積が等しくて、同軸に取り付けている円形フラットが二枚あり、それに組み合わせたネオジム磁石の一枚を構成部品１０３Ａと構成部品１０３Ｂの間に固定させて、１つのアルミニウム合金製のブラケット１８１の軸心部には一つの内凸の円形プラットフォーム１１１８を設置し、それは滑らかで整然としている垂直外球面があって、その直径は構成部品１０３Ａと１０３Ｂの直径とを組合せる。構成部品１１１８の外側は環状の凹溝１６３１が設けられており、溝の底には若干の平均配置気孔１８２が設けられている。構成部品１６３１の外側はブラケット１８１の環状薄壁がある。それは滑らかで整然としている内外円垂直面がある。ブラケット１８１の環状薄壁の一定の軸上高度にはまた１つの滑らかで整然としている水平定位面１８１０と１つの垂直定位面１８２０が設けられている。
【００７５】
構成部品１１１８の水平取り付け面１１１８０に粘着剤が塗られており、すでに互いに粘着して十分に磁化された磁気芯、即ち：構成部品１０３Ａ、構成部品１０２と構成部品１０３Ｂが上で置いて、そして構成部品１１１８０の軸心部に位置決め取り付けるのを確保する。粘着剤を個体化になった後、環状の磁気ヨーク１１３セットが前記磁気芯と同軸部位と同時にブラケット１８１の軸心部に固着されて、その時、構成部品１１３の２個の上下端面がそれぞれ構成部品１０３Ａと１０３Ｂの外極面である同じＨ値（０〜８ｍｍ）、構成部品１１３の内周面と構成部品１０３Ａと１０３Ｂの垂直周面の間には二つの同軸方向等径の環状磁気ギャップの１１０Ａと１１０Ｂが２つ構成される。構成部品１１３の上端部はプラスチックの枠体１０１の底部の円形軸孔に組み込まれて、構成部品１１３の外壁には粘着剤や枠体の底部のフランジ１０１１が固着されている。
【００７６】
前記環状の磁気ギャップにはコイル枠体１０７と同じの軸に取り付けている二つの１０９Ａと１０９Ｂが挿入されており、この２本のコイルは１層または２層の電磁線から焼結し、例えば振動板の１０６方向から見ると、明らかに分かる、コイル１０９Ａを時計回り、コイルの１０９Ｂを左回り（その逆もまた然りである）にするのが設定されている。コイル１０９Ａとコイル１０９Ｂの電磁線横断面積、コイルの巻き数、コイルの巻き幅、コイルの抵抗、コイルのインダクタンス量の絶対値、巻き線の張力が互いに等しくするのが規定されており、構成部品１０２の二分の一の軸上高度の二等分線Ｘ−Ｘ軸線を水平対称軸にして、構成部品１０３Ａ、構成部品１０２と構成部品１０３Ｂの中心軸線を垂直対称軸にする２組の幾何形状状と磁性性能方面には上下、左右対称の磁気回路とコイルの電気回路が構成されている。弾性波１４１、コイルフレーム１０７、振動板１０６およびエッジ１９９、枠体１０１が互いに固着して一体に形成される。
【００７７】
図１０に示しているものを参照し、もし構成部品１０３Ａと構成部品１０３Ｂの外側極面が構成部品１１３の２つの端面との距離はＨ値に等しくて、しかも０．４ｍｍより大きければ、スピーカーの口径と磁気回路によって相応しいＨ値を選らべば、構成部品１０３Ａと構成部品１０３Ｂの二分の一の軸上高度の二等分線Ｚ−Ｚ軸線を対称軸の２組磁気ギャップ対称磁気回路が得られる。磁気ギャップの磁力線１９９１は図１０に示すようなものである。従って、本実施例における２本のコイル１０９Ａは１０９Ｂのインダクタンス及び複式運動過程で感応して得た逆起電力は、１８０度の位相角があってこそ、交互に相殺しあう。本実例に前記スピーカーは一つの抵抗負荷の特性または抵抗負荷の特性に近似し、且つ超高感度とハイファイを有する多磁石隙間・マルチコイルのスピーカーである。
【００７８】
図１２は、本発明の両磁気ギャップ・ダブルコイルのスピーカーのコイル電気回路原理の配線図を示したものである。
【００７９】
図６を実施例にして、コイル１０９Ａとコイル１０９Ｂの電磁線横断面積、コイルの巻き数、コイルの巻き幅、コイルの抵抗、コイルのインダクタンス量の絶対値、線を巻く時の張力がお互いに等しいが、巻き方向が逆である。従って、コイル１０９Ａと１０９Ｂがオーディオ電流を通じて構成したインダクタンス量の｜Ｌ１０９Ａ｜のベクトルは｜Ｌ１０９Ｂ｜のベクトルに等しいが、位相角は１８０度である。それによって対称コイルの電気回路のインダクタンス量がイコール０または０に付近するようにさせて、スピーカーは抵抗負荷の特性または抵抗負荷の特性に近似するのがある。もちろん、それによって図５の実施例における外磁型のスピーカーも実施する。
【００８０】
図７は、本発明の３磁気ギャップ・スリーコイルの内磁型スピーカーの実施例の縦断面図を示したものである。
【００８１】
一つの円形極板３０３Ｂの両側平面には一つの軸磁化のネオジム磁石３０２Ａと３０２Ｂがそれぞれ粘着されており、磁石３０２Ａと３０２Ｂの外側面にもひとつの円形極板３０３Ａと３０３Ｃがそれぞれ粘着されている。図７に示す如く、２つの磁石の極性（Ｎ極とＳ極）、３つの極板は同じの投影面積があって、しかも２枚の磁石を組み合わせる。構成部品３０３Ａと３０３Ｃの厚さが等しくて、構成部品３０３Ｂの厚さは構成部品３０３Ａの厚さより十分に大きくなって、その磁力線を通じて飽和していないことを確保する。従って、同じ軸に取り付けている反発型磁石の磁気芯が１対構成されている。前記磁気芯が前もって粘着剤が前もって塗られたアルミニウム合金ブラケット３８１の内凸円形プラットフォーム３１１８０に置かれており、必要な作業を二度と通じて、前記の磁気芯や環状の磁石ヨーク３１３が同じ軸で構成部品３１１８０の軸心部に取り付けている。その時、構成部品３１３の二つの上下端面は構成部品３０３Ａと３０３Ｃの外極面である相同なＨ値（０〜８ｍｍ）があって、構成部品３１３の内周面と構成部品３０３Ａ、構成部品３０３Ｂ、構成部品３０３Ｃの垂直周面の間には同軸方向等径の３つの環状の磁気ギャップ３１０Ａ、３１０Ｂと３１０Ｃが構成されている。構成部品３１３の上端部は１つのプラスチックのフランジ３０１２が固着されている。それらは同じの取り付け平面がある。構成部品３１３の下端部にはアルミニウム合金のブラケット３８１の水平定位面３８１０と垂直定位面３８２０を組み込ませて、そして粘着剤で固着させている。作業を取り除いた後、前記環状の磁気ギャップにコイルフレーム３０７と同じ軸に取り付けている３本のコイル３０９Ａ、３０９Ｂと３０９Ｃを挿入し、この３本のコイルは１層または２層の電磁線から焼結し、例えば振動板３０６の方向からみると、コイル３０９Ａと３０９Ｃを時計回りに設定し、コイル３０９Ｂを左回りにする（その逆もまた然りである）。構成部品３０９Ａの末端ＹＡは構成部品３０９Ｂの先端部ＸＢに連結し、構成部品３０９Ｂの末端ＹＢは構成部品３０９Ｃの先端部に連結し、構成部品３０９Ｃの末端ＹＣは構成部品３０７に沿って垂直に上向き、構成部品３０９Ａの先端部ＸＡと、前記スピーカーの１対の信号入力端子が構成されている。構成部品３０９Ａ、構成部品３０９Ｂと構成部品３０９Ｃの電磁線横断面積、巻き線の張力が互いに等しいのは定められている。構成部品３０９Ａと構成部品３０９Ｃのコイルの巻き数、コイルの巻き幅、コイルの抵抗、コイルのインダクタンス量の絶対値が互いに等しいのは定められている。構成部品３０９Ｂのコイルの巻き数、コイルの巻き幅、コイルの抵抗、コイルのインダクタンス量の絶対値と構成部品３０９Ａと３０９Ｃのコイルの巻き数、コイルの巻き幅、コイルの抵抗、コイルのインダクタンス量の絶対値が互いに等しいのは定められている。前記反発型磁石の中心軸線を垂直対称軸にして、構成部品３０３Ｂの二分の一の軸上高度の等分線Ｘ-Ｘ軸線を水平対称軸にする２組対称磁気回路と２組対称磁気回路が構成されている。具体的な磁気回路の構造と３本のコイルの電気回路原理について、詳しくは本発明図１３Ａと図１３Ｂまたは図１４Ａと図１４Ｂ��示すようなものをそれぞれご参照できる。詳細は本発明者によるＷＯ９９／３１９３１の関連特許文献を参照できる。
【００８２】
弾性波３４１、コイルフレーム３０７、振動板３０６及びエッジ３９９、防塵帽子３０５、枠体３０１を互いに粘着して一体に形成される。従って、本発明の実施例における３本のコイル３０９Ａ、３０９Ｂと３０９Ｃのインダクタンス及びその複式運動過程で感応して得た逆起電力は１８０度の位相角を持って交互に相殺しあう。本発明の実施例においる前記スピーカーは１つの抵抗負荷の特性または抵抗負荷の特性に近似し、且つ超高感度とハイファイを有する多磁石隙間・マルチコイルのスピーカーである。
【００８３】
図８は、本発明の４磁気ギャップ・フォアコイルの内磁型スピーカーの実施例の縦断面図を示したものである。
【００８４】
前記枠体は１つのアルミニウム合金製の枠体６０１である。枠体６０１の軸心部には少なくとも２つの円形の軸孔があって、枠体６０１は異なる軸上高度に上で２つの弾性波６４１の環状プラットフォームが設けられている。一枚のプレート６０３Ｂの両側平面には一つの軸磁化のネオジム磁石６０２Ａと６０２Ｂがそれぞれ粘着されており、上述の磁石はプレート６０３Ｂの片側に近くよる側は相同のＳ極極性があって、２つの磁石６０２Ａと６０２Ｂの外側極面にも一つのプレート６０３Ａと６０３Ｃがそれぞれ粘着されており、プレート６０３Ｃの外側にネオジムの磁石６０２Ｃが再び粘着されている。構成部品６０２Ｃの外側にプレート６０３Ｄが再び粘着されており、それで２対以上の反発型磁石が構成されている、（その極性は図７に示していたものと同じ）軸に取り付けている４つのプレートは同じ投影面積しかも３つのネオジム磁石とを組合せて、一つの前記磁気回路磁気芯が構成されている。１つのアルミニウム合金製のブラケット６８１及び前記磁気芯の同じ軸に取り付けている環状磁石ヨーク６１３が構成されている。枠体６０１、弾性波６４１、振動板６０６、エッジ６９９の構造、取り付け、及びプレート６０３Ａと６０３Ｄの外側極面と環状の磁気ヨークの二つの端面、磁気ギャップ対称磁気回路が構成されているなどの内容は本発明の前記実施例を参照できる。
【００８５】
前記環状の磁石ヨーク６１３の内周面と前記４枚のプレートの垂直周面の間に４つの同軸同径の環状の磁気ギャップを構成し、それでコイルフレーム６０７と同軸に取り付けている４本のコイルを挿入する。前記コイルは１層または２層の電磁線で焼結したものである。
【００８６】
外側に位置する２本のコイル６０９Ａと６０９Ｄが振動板の外側方向から見ると、明らかに分かる。それぞれは時計回り及び左回りがある。中央にある二つの前記コイル６０９Ｂと６０９Ｃは必ず左回り及び時計回りに対応しなければならない。その逆もまた然りである。コイル６０９Ａの末端ＹＡはコイル６０９Ｂの先端部ＸＢとを連結し、コイル６０９Ｂの末端ＹＢ  はコイル６０９Ｃの先端部ＸＣとを連結し、コイル６０９Ｃの末端ＹＣはコイル６０９Ｄの先端部ＸＤとを連結し、コイル６０９Ｄの末端ＹＤはコイル枠体６０７に沿って垂直に上向き、コイルの６０９Ａの先端部ＸＡ  と前記のスピーカーの１対の信号入力端子が構成されている。４本のコイル６０９Ａと６０９Ｄ／６０９Ｂと６０９Ｃの電磁線の横断面積、コイルの巻き数、コイルの巻き幅、コイルの抵抗、コイルのインダクタンス量の絶対値、巻き線の張力が互いに等しいのは定められている。前記のセンター磁石６０２Ｂの二分の一の軸上高度の等分線Ｘ−Ｘ軸線を水平対称軸にする２組上下対称のコイル電気回路が構成されている。４つの前記コイルのインダクタンス量及びその複式運動過程で感応して得た逆起電力は１８０度の位相角を持って交互に相殺しあう。前記スピーカーは１つの抵抗負荷の特性または抵抗負荷の特性に近似し、且つ超高感度とハイファイを有する多磁石隙間・マルチコイルのスピーカーである。
【００８７】
図１３に示した三磁気ギャップ・スリーコイルのスピーカーのコイル電気回路の原理配線図（一）、図１４に示した三磁気ギャップ・スリーコイルのスピーカーのコイル電気回路の原理配線図（二）、図１５に示した四磁気ギャップ・フォアコイルのスピーカーのコイル電気回路の原理配線図。その作業原理の関連説明はＣＮ２００８２００９２１７７．９の特許出願文献に対応する図面と説明書により参照される。もちろん、本実施例に説明した内容より、一般な技術者はプレートと磁石数を増加する方法で４つ以上の磁気ギャップと４つ以上のコイルの多磁気ギャップ・マルチコイルの内磁型スピーカーを遂行しやすい。
【００８８】
４つ以上の磁気ギャップと４つ以上のコイルのスピーカーの電気回路の原理配線図について、最も簡単な方法は２本の垂直に配置された銅箔が全てのコイルを互いに並列接続して一体に形成される。例えば、本発明者がＣＮ２４３７０９２Ｙ特許にて述べたようなものである。これは、等価インピーダンスと逆起電力は些細なものになる。
【００８９】
図９は、既存技術の外側プレートの磁気ギャップの磁力線分布の説明図を示したものである。
【００９０】
図９は実に本発明図６の実施例における１つのノード拡大説明図である。構成部品１０３Ａはスピーカーの外側プレートの一枚である。その二分の一の軸上高度の水平等分線をＺ−Ｚ軸線にする。図９からみると、この時のプレートの外側極面１０３Ａが環状の磁気ヨーク１１３の端面と並行する。即ち、図６に標示のＨ値＝０ｎを相当する。環状の磁気ギャップ１１０Ａの永久磁石の磁力線１９９１はＺ−Ｚ軸線の両側にはアシンメトリーの状態が現れる。もし磁気ギャップにはで図６に示したコイル１０９Ａを挿入すれば、このコイルの二分の一の軸上高度の水平等分線はＺ−Ｚ軸線と重なっている。コイル１０９Ａはオーディオ電流を通じる時、それがＺ−Ｚ軸線の上部と下部の永久磁石の磁力線の分布形状が異なり、密度も違う。そこでコイル１０９ＡのＺ−Ｚ軸線の下部と下部には異なる電流力Ｆを発生させて、コイルを変形させることによってスピーカーのディストーションを増える。
【００９１】
図１０は、本発明の外側プレートである磁気ギャップの磁力線分布の説明図を示したものである。
【００９２】
この時Ｈ＞０であり、Ｈ値はスピーカーの口径と磁石の幾何寸法と磁気エネルギーとの密接な関係がある。図１０からみると、Ｚ−Ｚの軸線の両側で、永久磁石の磁力線１９９１がいつも対称状態を表し、図９の示した既存技術の欠陥を是正したことが明らかに分かる。
【００９３】
図１１は本発明の対称磁気回路及対称コイルの電気回路である逆起電力の交互に相殺しあう作業原理の説明図を示したものである。
その中、図１１Ａが本発明の諸実施例におけるスピーカーのＸ−Ｘ軸線の片側にあるコイル（例えば図６の構成部品１０９Ａ）に一つのサインウェーブのオーディオ電流信号の波形及び零時を過ぎる時感応して得た逆起電力のシャープパルスの波形を入力するのを示したものである。図１１Ｂは本発明の諸実施例におけるスピーカーＸ−Ｘ軸線の他の片側のコイル（例えば図６の構成部品１０９Ｂ）に１つのサインウェーブのオーディオ電流信号の波形及び零時を過ぎる時感応して得た逆起電力のシャープパルスの波形を入力するのを示したものである。上記の二つの図から、二つの対称コイルのサインウェーブのオーディオ電流信号は１８０度の位相角があって、本発明の実施規定に適応される。図１１Ｃが本発明の諸実施例におけるスピーカーＸ−Ｘ軸線の片側のコイル（例えば図６の構成部品１０９Ａ）に感応して得た逆起電力のシャープパルスの波形を示したものである。図１１Ｄが本発明の諸実施例におけるスピーカーＸ−Ｘ軸線の他の片側のコイル（例えば図６の構成部品１０９Ｂ）に感応して得た逆起電力のシャープパルスの波形を示したものである。Ｘ−Ｘ軸線の両側にある２本のコイルの巻き方向が逆である。従って、この２本のコイルに感応して得た逆起電力が１８０度の位相角があって、交互に相殺しあって零或いは零に付近する。
【００９４】
スピーカーのコイルにおいる逆起電力の関連問題を詳しく説明するため、図２０は既存技術の単磁気ギャップの単コイルのスピーカーのオーディオ電流と逆起電力の作業原理の説明図を示したものである。構成部品１はオーディオの信号源で、構成部品２は伝統の単磁気ギャップの単コイルのスピーカーで、構成部品２は単磁気ギャップの単コイルのスピーカーの等価発電機の電位即ち逆起電力の信号源。構成部品３はスピーカーの発電機の状態を行われる等価負荷である。図２０の下部図から見ると、明らかに分かる。単コイルのスピーカーがオーディオの信号源を接続する時、前記スピーカーには流した１つの瞬間のオーディオ電流Ｉ、前記スピーカーが１つの対応電流力Ｆを生じる。それらの方向は図に示すようなものである。この時、図２０の上部図からみると、単磁気ギャップの単コイルのスピーカーのコイルが電流力Ｆの作用で複式ピストン運動、且つ磁気ギャップの永久磁石を垂直に切断し、１つの発電機の２’が形成されている。その等価負荷は構成部品３、発電機の電位即ち逆起電力の流れる方向はＥが示したものである。コイル内のオーディオ電流Ｉと、１８０度の位相角（寄生蓄電器の容量及びインダクタンスの影響を無視する）があって、オーディオの信号が歪みとなる。
【００９５】
図２１は本発明の対称磁気回路と対称電気回路を有する多磁気ギャップ・マルチコイルのスピーカーのオーディオ電流や逆起電力の作業原理の説明図を示したものである。図２１の下部図から見ると、明らかに分かる、明らかに分かる：前記スピーカーはオーディオの信号源２１に接続される時、２つの逆方向でコイルのスピーカーの対称コイル２３Ａと２３Ｂには１つの瞬間のオーディオ電流Ｉを通じて、二つの対称コイルは２つの対応の電流力ＦＡ  が生じる。その方向は合力Ｆが構成されている。図２１の上部図から見ると、明らかに分かる：多磁気ギャップのマルチコイルのスピーカーの二つの対称コイルは電流力Ｆの作用で複式のピストン運動、且つ磁気ギャップの永久磁石を垂直に切断し、二つの等価発電機２３Ａ’と２３Ｂ’が形成されている。この二つのコイルの巻き方向が逆で、対称磁気回路と対称コイルの電気回路の特性を持って、二つのコイルの発電機の電位絶対値が相等、１８０度の位相角がある。逆起電力ＥＡとＥＢが等価負荷を過ぎた２４時に、交互に相殺しあうまたは相殺に近似する。
【００９６】
図１８は本発明の３磁気ギャップ・スリーコイルの内磁型スピーカーの磁気芯とブラケットの取り付け説明図を示したものである。
【００９７】
図１９は本発明の４磁気ギャップ・フォアコイルの内磁型スピーカーの磁気芯とブラケットの取り付け説明図を示したものである。
これは図７、図８から分離している磁気回路の構造取り付け図である。
【００９８】
前記から見ると分かるように、本発明は３磁気ギャップ・スリーコイル、４磁気ギャップ・フォアコイル、更にもっと多く磁気ギャップの内磁型スピーカーの技術案を提出した。これらのスピーカーの技術案では、ある円形プレートの両側に取り付けている磁石は同じ極性がある。それによって少なくとも１対または１対以上の反発型磁石及び前記の磁気回路の磁気芯が構成されている。これらの磁石はわりに大きな幾何寸法と高い磁気エネルギーがある時、反発型磁石の間の軸推力がとても巨大になることは、磁気芯の固着工芸が難度を増えるだけではなく、その上、またスピーカーの信頼可能運行に新しい不安定な要素をもたらす。
【００９９】
図１８と図１９は新技術方案を示したものである。前記磁石プレートと前記磁石の軸心部には投影面積が等しい中央軸孔が設けられており、前記スピーカーは非磁性材料で製造した前記ブラケット３８１または６８１の軸心部にも１つの投影面積の等しい中央軸孔／組合せのボルトホールが設けられる。１本の非磁性材料、例えば１Ｃｒ１８Ｎｉ  ９Ｔｉのステンレス製の締付金具３７１０または６７１０が前記軸孔を通って、そして前記プレートの組み合わせの非磁性材料製のクランプ３７２または６７２の一枚を利用し、前記プレートと前記磁石に十分な静圧力を加えて、それらを前記スピーカーの前記ブラケット内凸プラットフォーム３１１８０または６１１８０に固着させる。
【０１００】
図１８と図１９は１種類のボルト３７１１または６７１１と、ナット３７５または６７５によって設定トルクが前記磁気芯に静圧力を加えることを示している。公知の技術に基づくように、図に示した締付金具３７１０また６７１０が１８０度回転し、そしてブラケットの３８１または６８１の前記中央軸孔をボルトの組合せのボルトホールを変えれば、ナット３７１または６７１のネジリを調整し、クランプ３７２または６７２に静圧力を加えて、前記磁気芯は同様に前記締付金具３７１０または６７１０が前記ブラケット３８１または６９１の内凸プラットフォーム３１１８０または６１１８０に固着されている。公知の技術に基づき、もし非磁性のステンレスの締付金具３７１０または６７１０が１本の半円形のアルミニウムのリベットに帰れば、適当に加圧を通じてリベットの後部にブラケット３７２または６７２に締付け、前記磁気芯が同様にスピーカーのブラケット３８１または６８１の内凸プラットフォーム６１１８０または３１１８０に固着される。
【０１０１】
図１６は本発明の２．０チャンネルのマルチメディアの音響システムの実施例を示したものである。
【０１０２】
図中、１６−Ａは１つの２．０チャンネルのＵＳＢ音響システムの左スピーカーの正面図を示したものである。スピーカーボックスには１つの３インチ径の両磁気ギャップ・ダブルコイルのスピーカー１が設けられている。スピーカーは前記の対称磁気回路とコイル電気回路があって、そして一つの円錐形の振動板８だけがある。その錐体形の中心孔の直径がφ２６ミリメートルを上回らない。スピーカー２は１対の木質の本棚式の封密箱である。１つのアルミニウム合金製ホルダー３は締付金具やスピーカーボックスを通じて固定される。スピーカー２の底部とホルダー３の上部との接続する接点にはスピーカーのオーディオ連続電線を貫通させるために封密穴が設けられている。ホルダー３の正面である頚部には１つのＵＳＢミニのインターフェイスのコンセント４が設けられており、１つのφ３．５ｍｍのオーディオ電流出力コンセント６がホルダー３の背面の頚部に取り付けている。図１６−Ｃに示す如く、一枚のＰＣＢ板７は左スピーカーのアルミニウム合金のホルダー３の頚部に取り付けている、その上である１組の本発明の前記ＵＳＢ−ＤＡＣと１組のダブルチャンネルのＤタイプのオーディオのパワー増幅器ＩＣチップ及び付属のＳＭＤ配置電子構成部品、過負荷の熱保護電気回路、ショート保護電気回路などの付属の電気回路は全てが同じのＩＣチップにある。本実施例におけるオーディオのパワー増幅器は定額電圧で最大連続出力パワーが２×１Ｗ以下である。図１６−Ｂは一つの２．０チャンネルのＵＳＢ音響システムの右スピーカーの背面図を示したものである。そのスピーカーボックスは右スピーカーボックスと全く同じである。同様に１つのアルミニウム合金製ホルダー３、１つのφ３．５ｍｍのオーディオ電流入力コンセント６をホルダーの頚部の背面に取り付けている、１本のオーディオの接続ケーブルは上述の左右スピーカーを接続し、１対の２．０チャンネルを有するＵＳＢオーディオのデジタルインターフェイスのマルチメディア音響システムが形成されている。
【０１０３】
本実施例には、左右スピーカーボックスは相等容積の封密箱である。３インチ径のスピーカー１は同軸共点発声の全周波帯スピーカーであり、１６Ｂｉｔの転換精度ＤＡＣを採用しても、この一対のスピーカーから出力する音は非常に大きく朗々としていて、音声・画像の定位が精確で、音質が細かくて迫真で、音色が美しくて豊かで、細部も繊細に力強く響き、解析力が伝統の高級なマルチメディアスピーカーより明らか高くて、周波数応答の範囲が８０Ｈｚ〜２０ＫＨｚである。
【０１０４】
図１７は、本発明の２．１チャンネルのマルチメディア音響システムの実施例を示したものである。
【０１０５】
図１７−Ａは、左右チャンネルのスピーカーの正面図を示したものである。スピーカー毎には１つの４インチ径の両磁気ギャップ・ダブルコイルのスピーカー１が設けられており、スピーカーは対称磁気回路と対称コイル電気回路があって、１つの円錐形の振動板４だけがある。その円錐の上部の中心孔直径はφ２６ｍｍを上回らない。スピーカー２は１対の木質の本棚式相等容積の開口箱である。図１７−Ｂは左右チャンネルのスピーカーの背面図を示したものである。接続合１１に１つのφ３．５ｍｍのオーディオ電流入力コンセント７、反転位相管の排気口とクラッシュ・ロール１０が設けられている。図１７−Ｃは重低音用のスピーカーの正面図を示したものである。そのパネル３０には１つのＵＳＢ入力インターフェイス３９、ＬＥＤ信号灯３６、静音の押しボタン３５、音量調節の押しボタン３４と３３、反転位相管の排気口３８と２つのφ３．５ｍｍのオーディオ電流出力コンセント３７が設けられている。一枚のＰＣＢ板３１０が重低音用のスピーカーの内部に設置されて、その上には１組のＤＡＣ、１組の２．０チャンネルのＤタイプのオーディオのパワー増幅器、１組の通過帯域幅が４０Ｈｚ〜の１５０Ｈｚである電子周波数分割器、１組の重低音用Ｄタイプのオーディオパワー、パワー増幅器及びワンセットの１００，０００μＦ不足の濾過蓄積エネルギーの電解コンデンサー、必要な制御回路、過負荷の熱保護電気回路、ショート保護電気回路とＳＭＤ表面粘着電子構成部品などが取り付けられている。図１７−Ｄは重低音用のスピーカーの側面の正面図を示したものである。そのパネル３２には１つの６．５インチ径の重低音用のスピーカー３１があって、それは１つの３磁気ギャップ・スリーコイルまたは４磁気ギャップ・フォアコイル、通過帯域幅が４０Ｈｚ〜の１５０Ｈｚであり、前記対称磁気回路とコイルの電気回路、抵抗負荷の特性または抵抗負荷の特性に近似するものを備える帯通式の重低音用のスピーカー、しかも円錐形の振動板が一つだけある。錐体の上部にある中心孔の直径はφ３３ｍｍを上回らない。重低音用のスピーカーの背板には重低音用のスピーカーのためにもう一つのＤＣ５Ｖの独立電源のＵＳＢ入力インターフェイスを提供するが、本図には省略して図示しない。
【符号の説明】
【０１０６】
本発明の図６から図１５、図１８と図１９においる主要な構成部品と規格の対応関係は以下の通りである。
【０１０７】
１００〜６００；極面
１０１〜６０１；フレーム
１０１３〜６０１３；フレームの環状プラットフォーム
１０６１〜６０６１；フレームの取り付けボルトホール
１０１１〜６０１１；フレームフランジ
１０１２〜６０１２；フレームフランジ又はスリーブ
１０３〜６０３；プレート
１０２〜６０２；永久磁石
１１３〜６１３；環状の磁石ヨーク
１１０〜６１０；環状の磁気ギャップ
１９９１〜６９９１；環状の磁気ギャップの磁力線
１０９〜６０９；コイル
１０７〜６０７；コイルの枠体
１８１〜６８１；非磁性ブラケット
１１１８〜６１１８；ブラケット内の凸円形プラットフォーム
１１１８０〜６１１８０；ブラケット内の凸円形プラットフォーム
１８２０〜６８２０；ブラケットの環状の薄壁垂直定位面
１８１０〜６８１０；ブラケットの水平定位面
１８１１〜６８１１；粘着剤
１４１〜６４１；弾性波
１０６〜６０６；振動板
１０５〜６０５；防塵帽子
１９９〜６９９；エッジ
１６３１〜６６３１；環状の凹溝
１８２〜６８２；貫通気孔
３７１０、６７１０；非磁性材料の締付金具
３７２、６７２；非磁性クランプ
３７５、６７５；非磁性ナット
【図１】
2012505616.tif 000003
【図２】
2012505616.tif 000004
【図３】
2012505616.tif 000005
【図４】
2012505616.tif 000006
【図５】
2012505616.tif 000007
【図６】
2012505616.tif 000008
【図７】
2012505616.tif 000009
【図８】
2012505616.tif 000010
【図９】
2012505616.tif 000011
【図１０】
2012505616.tif 000012
【図１１Ａ】
2012505616.tif 000013
【図１１Ｂ】
2012505616.tif 000014
【図１１Ｃ】
2012505616.tif 000015
【図１１Ｄ】
2012505616.tif 000016
【図１２】
2012505616.tif 000017
【図１３Ａ】
2012505616.tif 000018
【図１３Ｂ】
2012505616.tif 000019
【図１４Ａ】
2012505616.tif 000020
【図１４Ｂ】
2012505616.tif 000021
【図１５】
2012505616.tif 000022
【図１６Ａ】
2012505616.tif 000023
【図１６Ｂ】
2012505616.tif 000024
【図１６Ｃ】
2012505616.tif 000025
【図１７Ａ】
2012505616.tif 000026
【図１７Ｂ】
2012505616.tif 000027
【図１７Ｃ】
2012505616.tif 000028
【図１７Ｄ】
2012505616.tif 000029
【図１８】
2012505616.tif 000030
【図１９】
2012505616.tif 000031
【図２０】
2012505616.tif 000032
【図２１】
2012505616.tif 000033
【国際調査報告】
2012505616.tif 000034
2012505616.tif 000035
2012505616.tif 000036
2012505616.tif 000037